(57)【要約】      （修正有）【課題】高いパッキング密度を持つ転動可能な太陽光発電モジュールを提供する。【解決手段】転動可能な太陽光発電モジュール（「ＲＳＰＭ」）１００が、可撓性基板１０２、複数の光起電力（「ＰＶ」）太陽電池の隣接ストリング１０４、１０６、少なくとも一つの端部タブジャンパ１１２を含む。可撓性基板は、可撓性基板の長さ１２８と定義する上面を有する。複数の隣接ストリングは可撓性基板の上面に取り付けられている。各ＰＶ太陽電池は、凸多角形である周囲を有する。複数の隣接ストリングは可撓性基板の長さに沿って転動可能に構成され、各隣接ストリングは可撓性基板の長さに沿った配向を有し、一対の隣接ストリングの各２つの隣接ストリングは反対方向の配向を有する。少なくとも一つの端部タブジャンパは、複数の隣接ストリングに物理的かつ電気的に接続され、少なくとも一つの端部タブジャンパは、複数の隣接ストリングを接続して直列回路を形成する。【選択図】図１
2019161220.tif 000002
【特許請求の範囲】
【請求項１】
転動可能に構成された転動可能な太陽光発電モジュール（１００、２００、３００）であって、前記モジュール（１００、２００、３００）が、
可撓性基板（１０２、２１０）であって、前記可撓性基板（１０２、２１０）が可撓性基板の長さ（１２８、２１４）と第１の平面を定義する上面（１１８、２１２）を有する可撓性基板（１０２、２１０）と、
前記可撓性基板（１０２、２１０）の前記上面（１１８、２１２）に取り付けられた複数の光起電力（「ＰＶ」）太陽電池（２０２、２０４、２０６、２０８）の複数の隣接ストリング（１０４、１０６、１０８、１１０、２１６、２１８、３５０、３５２、３５４、３５６、３５８、３６０）であって、
各ＰＶ太陽電池（２０２、２０４、２０６、２０８）が凸多角形である周囲を有し、
前記複数の隣接ストリング（１０４、１０６、１０８、１１０、２１６、２１８）が前記可撓性基板の長さ（１２８、２１４）に沿って転動可能なように構成され、
前記複数の隣接ストリング（１０４、１０６、１０８、１１０、２１６、２１８）の各隣接ストリングが前記可撓性基板の長さ（１２８、２１４）に沿った配向（１２０、１２２、１２４、１２６、２２０、２２２）を有し、
一対の隣接ストリングの各２つの隣接ストリングが反対方向に対応する配向を有する、複数の隣接ストリング（１０４、１０６、１０８、１１０、２１６、２１８、３５０、３５２、３５４、３５６、３５８、３６０）と、
前記複数の隣接ストリング（１０４、１０６、１０８、１１０、２１６、２１８）に物理的かつ電気的に接続された少なくとも一つの端部タブジャンパ（１１２、１１４、１１６、２４０）であって、前記少なくとも一つの端部タブジャンパ（１１２、１１４、１１６、２４０）が前記複数の隣接ストリング（１０４、１０６、１０８、１１０、２１６、２１８）を電気的に接続して直列回路を形成する、少なくとも一つの端部タブジャンパ（１１２、１１４、１１６、２４０）と
を備えるモジュール（１００、２００、３００）。
【請求項２】
前記少なくとも一つの端部タブジャンパ（１１２、１１４、１１６、２４０、３８６、３８７、３８８、３８９、３９０）が複数の端部タブジャンパ（１１２、１１４、１１６、２４０）であって、各端部タブジャンパ（１１２、１１６、２４０）が少なくとも一つの応力緩和ループ（４０４、５０２）を含む、請求項１に記載のモジュール（１００、２００、３００）。
【請求項３】
前記複数の隣接ストリング（１０４、１０６、１０８、１１０、２１６、２１８）が第１の隣接ストリング（２１６）および第２の隣接ストリング（２１８）を含み、
前記第１の隣接ストリング（２１６）が、
前記複数のＰＶ太陽電池（２０２、２０４、２０６、２０８）の第１のＰＶ太陽電池（２０２）と、
第１の端部タブ（２２４）と、
前記第１の端部タブ（２２４）を前記第１のＰＶ太陽電池（２０２）に物理的かつ電気的に接続する前記第１の隣接ストリング（２１６）の第１の複数の面内相互接続（２２６）と、
前記複数のＰＶ太陽電池（２０２、２０４、２０６、２０８）の第２のＰＶ太陽電池（２０４）と、
第２の端部タブ（２２８）と、
前記第２のＰＶ太陽電池（２０４）を第２の端部タブ（２２８）に物理的かつ電気的に接続する前記第１の隣接ストリング（２１６）の第２の複数の面内相互接続（２３０）と
を含み、
前記第２の隣接ストリング（２１８）が、
前記複数のＰＶ太陽電池（２０２、２０４、２０６、２０８）の第３のＰＶ太陽電池（２０６）と、
第３の端部タブ（２３２）と、
前記第３の端部タブ（２３２）を前記第３のＰＶ太陽電池（２０６）に物理的かつ電気的に接続する前記第２の隣接ストリング（２１８）の第１の複数の面内相互接続（２３４）と、
前記複数のＰＶ太陽電池（２０２、２０４、２０６、２０８）の第４のＰＶ太陽電池（２０８）と、
第４の端部タブ（２３６）と、
前記第４のＰＶ太陽電池（２０８）を前記第４の端部タブ（２３６）に物理的かつ電気的に接続する前記第２の隣接ストリング（２１８）の第２の複数の面内相互接続（２３８）と
を含み、
少なくとも一つの端部タブジャンパ（２４０）が前記第２の端部タブ（２２８）および第３の端部タブ（２３２）に物理的かつ電気的に接続している、請求項２に記載のモジュール（１００、２００）。
【請求項４】
前記上面（１１８、２１２）のより高い利用率およびそれに対応する可撓性基板（１０２、２１０）上のデッドゾーンの低減をもたらすために、前記複数のストリング（１０４、１０６、１０８、１１０、２１６、２１８）が入れ子になっている、請求項３に記載のモジュール（１００、２００）。
【請求項５】
第１のピックアップタブ（２４２）と、
第２のピックアップタブ（２４４）と
をさらに含み、
前記第１のピックアップタブ（２４２）が前記第１の端部タブ（２２４）に物理的および電気的に接続され、
前記第２のピックアップタブ（２４４）が第４の端部タブ（２３６）に物理的かつ電気的に接続されている、請求項３に記載のモジュール（１００、２００）。
【請求項６】
前記第１の隣接ストリング（２１６）の第１の複数の面内相互接続（２２６）の各面内相互接続が第１の無限相互接続（６０６）を含み、
前記第１の隣接ストリング（２１６）の前記第２の複数の面内相互接続（２３０）の各面内相互接続は第２の無限相互接続（６０６）を含み、
前記第２の隣接ストリング（２１８）の前記第１の複数の面内相互接続（２３４）の各面内相互接続は第３の無限相互接続（６０６）を含み、
前記第２の隣接ストリング（２１８）の前記第２の複数の面内相互接続（２３８）の各面内相互接続は第４の無限相互接続（６０６）を含み、
前記第１の無限相互接続（６０６）、第２の無限相互接続（６０６）、第３の無限相互接続（６０６）、および第４の無限相互接続（６０６）が中心軸線（６０８）に沿って撓むこと可能にする、請求項５に記載のモジュール（１００、２００）。
【請求項７】
前記第１のＰＶ太陽電池（２０２）、第２のＰＶ太陽電池（２０４）、第３のＰＶ太陽電池（２０６）、および前記第４のＰＶ太陽電池（２０８）の両方の背面（９２６、９５０、９５４）にバイパスダイオード（９２４、９４８、９５６）を
さらに含むものであって、
前記バイパスダイオード（９２４、９４８、９５６）が前記第１の隣接ストリング（２１６）の第２の複数の面内相互接続（２３０）および第２の隣接ストリング（２１８）の第２の複数の面内相互接続（２３８）に物理的かつ電気的に接続されている、請求項６に記載のモジュール（１００、２００）。
【請求項８】
各ＰＶ太陽電池（２０２、２０４、２０６、２０８）が幅（１１０２、１２０２、１３０２、１４０２、１５０２）と長さ（１１０４、１２０４、１３０４、１４０４、１５０４）を有するものであって、前記長さ（１１０４、１２０４、１３０４、１４０４、１５０４）に対する前記幅（１１０２、１２０２、１３０２、１４０２、１５０２）のアスペクト比が前記長さ（１１０４、１２０４、１３０４、１４０４、１５０４）に沿った転動を可能にするために約２対１である、請求項７に記載のモジュール（１００、２００）。
【請求項９】
各ＰＶ太陽電池（２０２、２０４、２０６、２０８）が８辺の凸多角形である周囲を有する、請求項８に記載のモジュール（１００、３００）。
【請求項１０】
各ＰＶ太陽電池が約７６．８８ｃｍ２に等しい表面領域を有する、請求項９に記載のモジュール（１００、３００）。
【請求項１１】
各ＰＶ太陽電池が約７８．８９ｃｍ２に等しい表面領域を有する、請求項１０に記載のモジュール（１００、３００）。
【請求項１２】
前記複数の隣接ストリング（１０４、１０６、１０８、１１０、２１６、２１８、３５０、３５２、３５４、３５６、３５８、３６０）が少なくとも２つの隣接ストリングを含み、
前記少なくとも２つの隣接ストリングの第１の隣接ストリング（３５０）が、
前記第１の隣接ストリング（３５０）の第１の端部タブ（３６２）と、
前記第１の隣接ストリング（３５０）の第２の端部タブ（３６４）と、
前記第１の端部タブ（３６２）と前記第２の端部タブ（３６４）との間の第１の複数のＰＶ太陽電池（３０１、３０２、３０３、３０４、３０５、３０６、３０７、３０８）と、
前記第１の端部タブ（３６２）を前記複数のＰＶ太陽電池（３０１、３０２、３０３、３０４、３０５、３０６、３０７、３０８）の第１のＰＶ太陽電池（３０１）に物理的かつ電気的に接続する第１の隣接ストリング（３５０）の第１の複数の面内相互接続と、
前記第２の端部タブ（３６４）を前記複数のＰＶ太陽電池（３０１、３０２、３０３、３０４、３０５、３０６、３０７、３０８）の最後のＰＶ太陽電池（３０８）に物理的かつ電気的に接続する前記第１の隣接ストリング（３５０）の第２の複数の面内相互接続と、
サブ複数のＰＶ太陽電池（３０２、３０３、３０４、３０５、３０６、３０７）を互いに、そして前記第１のＰＶ太陽電池（３０１）および最後のＰＶ太陽電池（３０８）に物理的かつ電気的に接続する前記第１の隣接ストリング（３５０）の第３の複数の面内相互接続と
を含み、
前記少なくとも２つの隣接ストリングの第２の隣接ストリング（３５２）が、
前記第２の隣接ストリング（３５２）の第１の端部タブ（３６６）と、
前記第２の隣接ストリング（３５２）の第２の端部タブ（３６８）と、
前記第１の端部タブ（３６２）と前記第２の端部タブ（３６４）との間の第２の複数のＰＶ太陽電池（３０９、３１０、３１１、３１２、３１３、３１４、３１５、３１６）と、
前記第１の端部タブ（３６６）を前記複数のＰＶ太陽電池（３０９、３１０、３１１、３１２、３１３、３１４、３１５、３１６）の第１のＰＶ太陽電池（３０９）に物理的かつ電気的に接続する前記第２の隣接ストリング（３５２）の第１の複数の面内相互接続と、
前記第２の端部タブ（３６８）を前記複数のＰＶ太陽電池（３０９、３１０、３１１、３１２、３１３、３１４、３１５、３１６）の最後のＰＶ太陽電池（３１６）に物理的かつ電気的に接続する第２の隣接ストリング（３５２）の第２の複数の面内相互接続と、
サブ複数のＰＶ太陽電池（３１０、３１１、３１２、３１３、３１４、３１５）を互いに、そして前記第１のＰＶ太陽電池（３０９）および最後のＰＶ太陽電池（３１６）に物理的かつ電気的に接続する前記第２の隣接ストリング（３５２）の第３の複数の面内相互接続と
を含み、
前記少なくとも一つの端部タブジャンパ（３８６）が前記第１の隣接ストリング（３５０）の前記第２の端部タブ（３６４）と前記第２の隣接ストリング（３５２）の第１の端部タブ（３６６）に物理的かつ電気的に接続されている請求項２に記載のモジュール（１００、３００）。
【請求項１３】
前記上面（１１８、２１２）のより高い利用率およびそれに対応する可撓性基板（１０２、２１０）上のデッドゾーンの低減をもたらすために、前記複数のストリング（１０４、１０６、１０８、１１０、２１６、２１８、３５０、３５２、３５４、３５６、３５８、３６０）が入れ子になっている、請求項１２に記載のモジュール（１００、３００）。
【請求項１４】
前記第１の隣接ストリング（３５０）の第１のピックアップタブ（３９２）をさらに含み、前記第１のピックアップタブ（３９２）が前記第１の隣接ストリング（３５０）の前記第１の端部タブ（３６２）に物理的および電気的に接続されている、請求項１２に記載のモジュール（１００、３００）。
【請求項１５】
転動可能に構成された転動可能な太陽光発電モジュール（１００、２００、３００）を製造するための方法（２４００）であって、前記方法（２４００）が、
複数の隣接ストリングを形成するために複数の光起電力（「ＰＶ」）太陽電池を一緒に取り付けるステップと、
複数の端部タブを前記隣接ストリングのそれぞれに取り付けるステップと、
少なくとも一つの端部タブジャンパを前記複数の端部タブに取り付けるステップと、
ＰＶ太陽光パネルアセンブリを作製するために２つのピックアップタブを取り付けるステップと、
前記ＰＶ太陽光パネルアセンブリを可撓性基板に取り付けるステップと、
を含む、方法（２４００）。
【発明の詳細な説明】
【技術分野】
【０００１】
本発明は、太陽光パネルアセンブリ、特に宇宙船から展開可能な太陽光パネルアセンブリに関する。
【背景技術】
【０００２】
光起電力（「ＰＶ」）太陽電池技術の進歩は、軽量かつ高効率で高信頼性の太陽光パネルの開発をもたらした。そのため、太陽光パネルは衛星などの宇宙船の主電源の供給源として一般的に使用される。しかしながら、それらは繊細で大きく、そして衛星が低地球軌道（「ＬＥＯ」）または静止軌道（「ＧＥＯ」）のいずれかに到着するとき展開されなければならない。一般に、これらの太陽光パネルは、出荷および打ち上げのために最初は小容量に収容され、太陽放射を収集し、収集した太陽放射を衛星の運用に必要な電力に変換するためにＰＶ太陽電池の大きな表面領域を宇宙で太陽にさらす場合に展開される。
【０００３】
しかしながら、宇宙用途のための電力システムは、重量を最小限に抑え、収容容積を最小限に抑え、寿命の初めから終わりまでの性能を最大限にし、そしてコストを最小限に抑えるための基準を含む多数の設計上の制約に直面する。重量と体積の制約は通常、軌道に持ち上げられる可能性のある物体のサイズと重量を制限するスペースブースター技術の結果である。
【０００４】
さらに、宇宙用途で太陽光パネルアセンブリを利用するための既知の手法は、取り付けられたＰＶ太陽電池を有する平坦な剛性ハニカム太陽光パネル基板を通常含む太陽光パネルアセンブリ構造を利用することが含まれる。太陽光パネルアセンブリは、収納構成時に太陽電池パネルアセンブリの寸法が最小にするために太陽電池パネルアセンブリが折り畳まれるようにするヒンジ（または他の同様の機械装置）を利用して太陽電池パネルアセンブリを衛星に収容できるように構成される。この太陽光パネルアセンブリは通常、互いにおよび衛星に電気的および機械的に取り付けられた一つ以上の太陽光パネルを含む。太陽光パネルアセンブリ内の各太陽光パネルは通常、多数の個々のＰＶ太陽電池を含み、それらは通常列状に配置され、それらの隣接する縁部で互いに電気的に接続されてＰＶ太陽電池の二次元アレイを形成する。一般に、（軌道上にあるとき）衛星上に太陽電池パネルを配置するためのこれらの大きな剛性の太陽光パネルアセンブリおよびそれらに関連する機械的構成要素のサイズおよび重量は大きく、最小限にすることが望ましい。
【０００５】
太陽光パネルアセンブリのサイズおよび重量を最小限に抑えられるようにする手法は、大きくて重い剛性のハニカムパネルの代わりに軽量の可撓性基板またはブランケットを利用することを含んでいる。これらの手法のいくつかは、ハッブル宇宙望遠鏡および国際宇宙ステーション（「ＩＳＳ」）の一次太陽光パネルアセンブリに利用されてきた。
【０００６】
ハッブル宇宙望遠鏡の場合、太陽光パネルはロールに梱包され、ロールの両側に取り付けられたブームが延伸するにつれてロールをシートに引き出すブームとともに展開された。ＩＳＳ太陽光パネルは、アレイの下にマウントされた単一のブームが延伸するにつれて積み重ねられてシートになるように配置された細長いシート状の材料を折り畳んでプリーツをつけることによって積み重ねられ梱包された。
【０００７】
現在、提案されている新しいタイプの太陽光パネルアセンブリがＩＳＳ用に開発されている。この手法は、ロールアウト太陽光アレイ（「ＲＯＳＡ」）として知られており、引出物のように空間で広がる新しいタイプの太陽光パネルであり、現在の剛性パネル設計よりもコンパクトである。米国航空宇宙局（「ＮＡＳＡ」）によれば、提案されたＲＯＳＡ設計は、現在の剛性パネルアレイ技術よりも電力密度および収納効率およびスケーラビリティを大幅に改善し、将来のすべてのＮＡＳＡ、国防総省（「ＤｏＤ」）および商用宇宙船で検討するための高い見込みがあるようである。
【０００８】
しかしながら、高密度のＰＶ太陽電池を有し、収納位置に転動するのに十分に可撓性がある高出力密度の太陽光パネルアセンブリを製造することは非常に困難である。その理由は、ＰＶ太陽電池は一般的に剛性で、撓むと破損しやすく、ＰＶ太陽電池間の相互接続として利用される、配線または溶接されたタブは、典型的に太陽光パネルアセンブリに利用される可撓性基板またはブランケットの表面の平面から外側に延伸する装置だからである。これらの相互接続は、太陽光パネルアセンブリが太陽光パネルアセンブリ上の電気接続を短絡することなく、または相互接続またはＰＶ太陽電池のいずれも物理的に破壊することなく、太陽光パネルアセンブリが円筒形状を有する収納状態に転動するとき適切に曲がる必要がある金属配線またはタブであり得る。
【発明の概要】
【発明が解決しようとする課題】
【０００９】
したがって、これらの制限に対処するシステムおよび方法が必要とされている。
【課題を解決するための手段】
【００１０】
転動可能に構成された転動可能太陽光発電モジュール（「ＲＳＰＭ」）が開示されている。ＲＳＰＭは、可撓性基板、複数の光起電力（「ＰＶ」）太陽電池の隣接ストリング、および少なくとも一つの端部タブジャンパを含む。可撓性基板は、可撓性基板の長さと第１の平面を定義する上面を有する。ＰＶ太陽電池の複数の隣接ストリングは、可撓性基板の上面に取り付けられている。各ＰＶ太陽電池は、凸多角形である周囲を有する。複数の隣接ストリングは可撓性基板の長さに沿って転動可能に構成され、複数の隣接ストリングの各隣接ストリングは可撓性基板の長さに沿った配向を有し、一対の隣接ストリングの各２つの隣接ストリングは反対方向の配向を有する。少なくとも一つの端部タブジャンパは、複数の隣接ストリングに物理的かつ電気的に接続され、少なくとも一つの端部タブジャンパは、複数の隣接ストリングを電気的に接続して直列回路を形成する。
【００１１】
ＲＳＰＭを製造する方法も開示されている。この方法は、複数のＰＶ太陽電池を互いに取り付けて複数の隣接ストリングを形成すること、複数の端部タブを各隣接ストリングに取り付けること、および少なくとも一つの端部タブジャンパを複数の端部タブに取り付けることを含む。この方法はまた、２つのピックアップタブを取り付けてＰＶ太陽光パネルアセンブリを作製すること、およびこのＰＶ太陽光パネルアセンブリを可撓性基板に取り付けることを含む。
【００１２】
本発明の他の装置、器具、システム、方法、形態、および利点は、以下の図面および詳細な説明を検討することで当業者には明らかとなるか、あるいは明らかになるであろう。そのような追加のシステム、方法、形態、および利点はすべて、この説明に含まれ、本発明の範囲内にあり、添付の特許請求の範囲によって保護されることを意図している。
【００１３】
本発明は、以下の図面を参照することによってよりよく理解され得る。図面中の構成要素は必ずしも縮尺通りではなく、代わりに本発明の原理を例示することに重点が置かれている。図面において、同様の参照番号は異なる図を通して対応する部分を示す。
【図面の簡単な説明】
【００１４】
【図１】本開示による転動可能な太陽光発電モジュール（「ＲＳＰＭ」）の実装形態のブロック図である。
【図２】本開示による２×２  ＲＳＰＭの実装形態の一例の上面図である。
【図３】本開示による４８個の光起電力（「ＰＶ」）太陽電池を有するＲＳＰＭの実装形態の一例の上面図である。
【図４】本開示による第１の端部タブ、第２の端部タブ、および端部タブジャンパを例示する、図３に示すＲＳＰＭの拡大上面図である。
【図５Ａ】本開示による端部タブジャンパの実装形態の一例の斜視図である。
【図５Ｂ】本開示による図５Ａに示された端部タブジャンパの上面図である。
【図５Ｃ】本開示による、図５Ａおよび図５Ｂに示されている端部タブジャンパの側面図である。
【図６Ａ】本開示による面内相互接続の実装形態の一例の上面図である。
【図６Ｂ】本開示による第１のトリミングされた面内相互接続の実装形態の一例の上面図である。
【図６Ｃ】本開示による第２のトリミングされた面内相互接続の実装形態の一例の上面図である。
【図６Ｄ】本開示による第３のトリミングされた面内相互接続の実装形態の一例の上面図である。
【図７】本開示による端部タブに取り付けられた面内相互接続の実装形態の一例の上面図である。
【図８】本開示による端部タブの実装形態の一例の上面図である。
【図９Ａ】本開示による複数のＰＶ太陽電池の隣接ストリングの実装形態の一例の正面図である。
【図９Ｂ】本開示による複数のＰＶ太陽電池の隣接ストリングの実装形態の一例の背面図である。
【図１０】本開示によるピックアップタブの実装形態の一例の斜視図である。
【図１１】本開示による、非Ｄ形状ＰＶ太陽電池を使用したＲＳＰＭの別の実施形態の一例の上面図である。
【図１２】本開示による、長方形の多角形の周囲を有する別のＰＶ太陽電池の実装形態の一例の上面図である。
【図１３】本開示による、湾曲した側面のＤ形状多角形の周囲を有する別のＰＶ太陽電池の実装形態の一例の上面図である。
【図１４】本開示による、８辺のＤ形状多角形の周囲を有する別のＰＶ太陽電池の実装形態の一例の上面図である。
【図１５】本開示による、８辺のＤ形状多角形の周囲を有するさらに別のＰＶ太陽電池の実装形態の一例の上面図である。
【図１６】本開示による、８辺の八角形の多角形の周囲を有する別のＰＶ太陽電池の実装形態の一例の上面図である。
【図１７】本開示によるＰＶ太陽電池を製造する実装形態の一例のプロセス図である。
【図１８】本開示による（図１７に示す）ＰＶ太陽電池を製造する方法の実装形態の一例のフローチャートである。
【図１９Ａ】本開示による複数のＰＶ太陽電池の隣接ストリングの実装形態の一例の斜視図である。
【図１９Ｂ】本開示による複数のＰＶ太陽電池の隣接ストリングの背側の斜視図である。
【図２０Ａ】本明細書によるＰＶ太陽光パネルアセンブリの実装形態の一例の斜視図である。
【図２０Ｂ】本開示によるＰＶ太陽光パネルアセンブリの背側の斜視図である。
【図２１】本開示による可撓性基板の実装形態の一例の斜視図である。
【図２２】本開示による、図１９Ａ〜図２１に示されたＰＶ太陽光パネルアセンブリおよび可撓性基板から形成されたＲＳＰＭの斜視図である。
【図２３】本開示による（図１６に示す）ＰＶ太陽電池のＰＶ太陽光パネルアセンブリおよび可撓性基板から形成されたＲＳＰＭの別の実施形態の一例の斜視図である。
【図２４】本開示によるＲＳＰＭを製造する方法の実装形態の一例のフローチャートである。
【発明を実施するための形態】
【００１５】
転動可能に構成された転動可能な太陽光発電モジュール（「ＲＳＰＭ」）が開示されている。ＲＳＰＭは、可撓性基板、複数の光起電力（「ＰＶ」）太陽電池の隣接ストリング、および少なくとも一つの端部タブジャンパを含む。可撓性基板は、可撓性基板の長さと第１の平面を定義する上面を有する。ＰＶ太陽電池の複数の隣接ストリングは、可撓性基板の上面に取り付けられている。各ＰＶ太陽電池は、凸多角形である周囲を有する。複数の隣接ストリングは可撓性基板の長さに沿って転動可能に構成され、複数の隣接ストリングの各隣接ストリングは可撓性基板の長さに沿った配向を有し、一対の隣接ストリングの各２つの隣接ストリングは反対方向の配向を有する。少なくとも一つの端部タブジャンパは、複数の隣接ストリングに物理的かつ電気的に接続され、少なくとも一つの端部タブジャンパは、複数の隣接ストリングを電気的に接続して直列回路を形成する。
【００１６】
ＲＳＰＭを製造する方法も開示されている。この方法は、複数のＰＶ太陽電池を互いに取り付けて複数の隣接ストリングを形成すること、複数の端部タブを各隣接ストリングに取り付けること、および少なくとも一つの端部タブジャンパを複数の端部タブに取り付けることを含む。この方法はまた、２つのピックアップタブを取り付けてＰＶ太陽光パネルアセンブリを作製すること、およびこのＰＶ太陽光パネルアセンブリを可撓性基板に取り付けることを含む。
【００１７】
図１では、本開示によるＲＳＰＭ  １００の実装形態のブロック図が示されている。この例では、ＲＳＰＭ  １００は、可撓性基板１０２、複数の隣接する太陽電池ストリング（例えば、第１の隣接ストリング１０４、第２の隣接ストリング１０６、複数の第３（例えば３番目）からＮ−１の隣接ストリング１０８、およびＮ番目の隣接ストリング１１０）、ならびに複数の端部タブジャンパ（例えば、第１の端部タブジャンパ１１２、第２の端部タブジャンパ１１４、およびＮ番目の端部タブジャンパ１１６）を含む。図面において、３番目およびＮ番目は、明確さのために３ＲＤおよびＮＴＨとして表される。太陽電池の複数の隣接ストリングは、可撓性基板１０２の上面１１８上に一体化されている。この例では、複数の隣接ストリング内に２からＮ個の隣接ストリング１０４、１０６、１０８、および１１０があり得る。説明を簡単にするために、４ブロックの隣接ストリング１０４、１０６、１０８、および１１０のみが示されているが、ＲＳＰＭ  １００の設計に基づいて任意の数の隣接ストリングが存在し得ることが当業者には理解されよう。この例では、複数の隣接ストリングの各隣接ストリング１０４、１０６、１０８、および１１０の配向１２０、１２２、１２４、および１２６（例えば方向）は、交互の方向で可撓性基板１０２の長さ１２８に沿っている。一例として、第１の隣接ストリング１０４および第２の隣接ストリング１０６は一対の隣接ストリングを形成し、第１の隣接ストリング１０４は可撓性基板１０２の長さ１２８に沿って第１の方向に第１の配向１２０を有し、第２の隣接ストリング１０６は第１の方向とほぼ反対方向の第２の方向１２２を有する。隣接ストリングの配向方向のこのパターンは、Ｎ番目の隣接ストリング１１０を含む一対の隣接ストリングで終わる複数の第３から第Ｎ−１の隣接ストリング１０８内の後続の一対の隣接ストリングについて繰り返される。この例では、第３の隣接ストリング（直接は示されていないが第３から第Ｎ−１の隣接ストリング１０８内）の第３の配向１２４は第２の配向１２２の反対方向にあり、Ｎ番目の配向１２６はＮ−１隣接ストリングの方向（直接は示されていないが３番目から第Ｎ−１の隣接ストリング１０８内）の反対の方向にある。
【００１８】
さらに、この例では、第２の隣接ストリング１０６は、第１の端部タブジャンパ１１２により第１の隣接ストリング１０４に、そして第２の端部タブジャンパ１１４により第３の隣接ストリング（第３から第Ｎ−１の隣接ストリング１０８内）に物理的かつ電気的に接続される。さらに、第３から第Ｎ−１の隣接ストリング１０８内で、他の隣接ストリング（図示せず）も、第１の端部タブジャンパ１１２および第２の端部タブジャンパ１１４が第３の隣接ストリング（第３から第Ｎ−１の隣接ストリング１０８内）を通して第１の隣接ストリング１０４と物理的かつ電子的に接続するのと同様に他の端部タブジャンパ（図示せず）を介して物理的および電気的に接続される。その上、同様に、第Ｎ−１の隣接ストリングは（第３から第Ｎ−１の隣接ストリング１０８内）は第Ｎの端部タブジャンパ１１６を介して第Ｎの隣接ストリング１１０に物理的かつ電気的に接続されている。
【００１９】
このようにして、複数の隣接ストリング（すなわち、第１の隣接ストリング１０４、第２の隣接ストリング１０６、複数の第３から第Ｎ−１の隣接ストリング１０８、および第Ｎの隣接ストリング１１０）が電気的に直列に接続される。さらに、この例では、第１のピックアップタブ１３０が第１の隣接ストリング１０４と物理的かつ電気的に接続され、第２のピックアップタブ１３２が第１の隣接ストリング１０４と、電気的直列回路が第１のピックアップタブ１３０と第２のピックアップタブ１３２との間で形成されるように物理的かつ電気的に接続されている。
【００２０】
この例では、複数の隣接ストリングの各隣接ストリング１０４、１０６、１０８、および１１０は、複数の端部タブ（図示せず）、複数のＰＶ太陽電池（図示せず）、および複数の端部タブ（図示せず）を含み得る。一般に、各隣接ストリングは、第１の端部タブ、複数のＰＶ太陽電池、および第２の端部タブを含み、複数のＰＶ太陽電池は第１の端部タブと第２の端部タブとの間で物理的および電気的に直列に接続される。各隣接ストリング１０４、１０６、１０８、および１１０はまた、第１の端部タブを複数のＰＶ太陽電池の第１のＰＶ太陽電池に（複数の隣接ストリングの面内相互接続の第１の複数の隣接ストリングの面内相互接続により）、そして第２の端部タブを複数のＰＶ太陽電池の最後のＰＶ太陽電池に（複数の隣接ストリングの面内相互接続の第２の複数の隣接ストリングの面内相互接続により）物理的および電気的に接続する複数の隣接ストリングの面内相互接続を含む。さらに、複数の隣接ストリングの面内相互接続は、最初のＰＶ太陽電池と最後のＰＶ太陽電池との間、および対応する隣接ストリングに対して所定の配向で可撓性基板１０２の長さ１２８に沿って直列のやり方で他のＰＶ太陽電池と相互に個々のＰＶ太陽電池を物理的かつ電気的に接続する少なくとも第３の複数の隣接ストリングの面内相互接続を含む。
【００２１】
この例では、複数のＰＶ太陽電池、複数の隣接ストリングの面内相互接続、および複数の端部タブは、ＲＳＰＭ１００に十分な柔軟性を持たせ、ＲＳＰＭ１００を損傷または短絡させることなく、円筒形の形状を有する収納位置へとＲＳＰＭ１００を長さ１２８の方向に転動できるように構成されている。
【００２２】
図２は、本開示によるＲＳＰＭ  ２００の実装形態の一例の上面図である。説明を容易にするために、この例では、ＲＳＰＭ  ２００はＰＶ太陽電池２０２、２０４、２０６、および２０８の２×２（すなわち、「２×２」）レイアウトを含む。ＲＳＰＭ  ２００はまた、上面２１２および可撓性基板の長さ２１４を有する可撓性基板２１０を含む。この例では、複数のＰＶ太陽電池２０２、２０４、２０６、および２０８が、可撓性基板の長さ２１４に沿って２つの隣接ストリング２１６および２１８としてレイアウトされている。この例では、第１の隣接ストリング２１６は第１のＰＶ太陽電池２０２および第２のＰＶ太陽電池２０４を含み、第２の隣接ストリング２１８は第３のＰＶ太陽電池２０６および第４のＰＶ太陽電池２０８を含む。第１の隣接ストリング２１６および第２の隣接ストリング２１８は一対の隣接ストリングを形成する。その上、第１の隣接ストリング２１６は可撓性基板の長さ２１４に沿って第１の配向２２０を有し、第２の隣接ストリング２１８は可撓性基板の長さ２１４に沿って第１の配向２２０とは反対方向に第２の配向２２２を有する。
【００２３】
この例では、複数の隣接ストリングは、第１の隣接ストリング２１６と第２の隣接ストリング２１８を含む。第１の隣接ストリング２１６は、（複数のＰＶ太陽電池２０２、２０４、２０６、および２０８の）第１のＰＶ太陽電池２０２、第１の端部タブ２２４、および第１の端部タブ２２４を第１のＰＶ太陽電池２０２に物理的かつ電気的に接続する第１の隣接ストリング２１６の第１の複数の面内相互接続２２６を含む。第１の隣接ストリング２１６はまた、（複数のＰＶ太陽電池２０２、２０４、２０６、２０８の）第２のＰＶ太陽電池２０４、および第２のＰＶ太陽電池２０４を第２の端部タブ２２８に物理的および電気的に接続する第１の隣接ストリング２１６の第２の複数の面内相互接続２３０を含む。第２の隣接ストリング２１８は、（複数のＰＶ太陽電池２０２、２０４、２０６、２０８の）第３のＰＶ太陽電池２０６、第３の端部タブ２３２、および第３の端部タブ２３２を第３のＰＶ太陽電池２０６に物理的かつ電気的に接続する第２の隣接ストリング２１８の第１の複数の面内相互接続２３４を含む。第２の隣接ストリング２１８はまた、（複数のＰＶ太陽電池２０２、２０４、２０６、２０８の）第４のＰＶ太陽電池２０８、および第４のＰＶ太陽電池２０８を第４の端部タブ２３６に物理的かつ電気的に接続する第２の隣接ストリング２１８の第２の複数の面内相互接続２３８を含む。
【００２４】
その上、この２×２レイアウトの例では、第１の隣接ストリング２１６は、第２のＰＶ太陽電池２０４を第１のＰＶ太陽電池２０２に物理的かつ電気的に接続する少なくとも第１の隣接ストリング２１６の第３の複数の面内相互接続（図示せず）を含み、第２の隣接ストリング２１８は、第４のＰＶ太陽電池２０８を第３のＰＶ太陽電池２０６に物理的および電気的に接続する少なくとも第３の複数の第２の隣接ストリング２１８の面内相互接続（図示せず）を含む。ＲＳＰＭ  ２００のレイアウトが２×２レイアウトよりも大きい場合、第１の隣接ストリング２１６は、第１のＰＶ太陽電池２０２および第２のＰＶ太陽電池２０４だけより多く含み得る。したがって、第１の隣接ストリング２１６は、第１のＰＶ太陽電池２０２を第１の隣接ストリング２１６内の別のＰＶ太陽電池（図示せず）に物理的かつ電気的に接続する第３の複数の第１の隣接ストリング２１６の面内相互接続（図示せず）を含む。次に、第１の隣接ストリング２１６はさらに、第１のＰＶ太陽電池２０２と第２のＰＶ太陽電池２０４との間に他の任意のＰＶ太陽電池（図示せず）を物理的かつ電気的に接続する追加の複数の第１の隣接ストリング２１６の面内相互接続、および第１の端部タブ２２４と第２の端部タブ２２８との間に、第１の端部タブ２２４から第２の端部タブ２２８まで電気的直列回路を共同形成する（第１のＰＶ太陽電池２０２および第２のＰＶ太陽電池２０４を含む）連続ストリングのＰＶ太陽電池を形成する第２のＰＶ太陽電池２０４を含む。同様に、ＲＳＰＭ  ２００のレイアウトが２×２レイアウトよりも大きい場合、第２の隣接ストリング２１８は、第３のＰＶ太陽電池２０６および第４のＰＶ太陽電池２０８だけより多く含み得る。したがって、第２の隣接ストリング２１８は、第３のＰＶ太陽電池２０６を第２の隣接ストリング２１８内の別のＰＶ太陽電池（図示せず）に物理的かつ電気的に接続する第３の複数の第２の隣接ストリング２１８の面内相互接続（図示せず）を含む。次に、第２の隣接ストリング２１８はさらに、第３のＰＶ太陽電池２０６と第４のＰＶ太陽電池２０８との間に他の任意のＰＶ太陽電池（図示せず）を物理的かつ電気的に接続する追加の複数の第２の隣接ストリング２１８の面内相互接続、および第３の端部タブ２３２と第４の端部タブ２３６との間に、第３の端部タブ２３２から第４の端部タブ２３６まで電気的直列回路を共同形成する（第３のＰＶ太陽電池２０６および第４のＰＶ太陽電池２０８を含む）連続ストリングのＰＶ太陽電池を形成する第４のＰＶ太陽電池２０８を含む。
【００２５】
これらの例では、第２の端部タブ２２８と第３の端部タブ２３２は、例えば第３の端部タブ２３２と第４の端部タブ２３６の両方に、ギャップ溶接され得る端部タブジャンパ２４０を介して物理的かつ電気的に接続される。次に、ＲＳＰＭ  ２００は、第１の端部タブ２２４に物理的かつ電気的に接続された第１のピックアップタブ２４２および第４の端部タブ２３６に物理的かつ電気的に接続された第２のピックアップタブ２４４を含む。端部タブジャンパ２４０が第２の端部タブ２２８と第３の端部タブ２３２との間に接続された状態で、第１の隣接ストリング２１６と第２の隣接ストリング２１８は第１のピックアップタブ２４２から第２のピックアップタブ２４４への複合電気直列回路を形成する。
【００２６】
実施例として、ＰＶ太陽電池２０２、２０４、２０６、および２０８のそれぞれは、凸多角形であるパラメータを有するものとして示されている。この例では具体的に、ＰＶ太陽電池２０２、２０４、２０６、および２０８のそれぞれは、「Ｄ」形状の８辺の八角形であるパラメータを有するものとして示されており、第１の隣接ストリング２１６は（可撓性基板２１０の長さ２１４に沿って）第１の端部タブ２２４から第２の端部タブ２２８への方向に第１の配向２２０を有し、第２の隣接ストリング２１８は（これもまた可撓性基板２１０の長さ２１４に沿って）第３の端部タブ２３２から第４の端部タブ２３６への第１の方向２２０とは反対方向に第２の配向２２２を有する。この例では、ＰＶ太陽電池が「Ｄ」形状の外周を有するように示されているが、ＲＳＰＭ  ２００の設計に基づいて他の形状のパラメータも利用できることを当業者は理解するであろう。
【００２７】
この例では、第１の隣接ストリング２１６および第２の隣接ストリング２１８は、複数のＰＶ太陽電池２０２、２０４、２０６、および２０８間の間隔が、可撓性基板２１０の上面２１２の表面領域の使用がほぼ最大になり、「デッドゾーン」である上面２１２に沿って小さな表面領域ギャップ２４６、２４８、２５０、２５２、２５４、および２５６のみを残すように、可撓性基板２１０の上面２１２上に互いに隣接して配置されている。第１の隣接ストリング２１６および第２の隣接ストリング２１８は反対方向に配向２２０および２２２を有する一対の隣接ストリングを形成する。この例では、第１のＰＶ太陽電池２０２は、第４のＰＶ太陽電池２０８の第１の側面２６０に隣接する第１の側面２５８を有する。第２のＰＶ太陽電池２０４は、第３のＰＶ太陽電池２０６の第１の側面２６４に隣接する第１の側面２６２を有する。さらに、第１の端部タブ２２４は第１のＰＶ太陽電池２０２の正側に電気的に接続され、第２の端部タブ２２８は第２のＰＶ太陽電池２０４の負側に電気的に接続され、第３の端部タブ２３２は第３のＰＶ太陽電池２０６の正側に電気的に接続され、第４の端部タブ２３６は第４のＰＶ太陽電池２０８の負側に電気的に接続される。第１のピックアップタブ２４２および第２のピックアップタブ２４４は、ポリイミド（例えば、デラウェア州ウィルミントンのデュポン社に登録されているＫＡＰＴＯＮ（登録商標））フィルム絶縁体２６６および２６８をそれぞれ含み、第１のピックアップタブ２４２と第２のピックアップタブ２４４を保護することに留意されたい。
【００２８】
本開示では、一つのＰＶ太陽電池２０２、２０４、２０６、および２０８の上部（すなわち長縁部）と別のＰＶ太陽電池２０２、２０４、２０６および２０８の底部（すなわち短縁部）との間の交差部の形状はＲＳＰＭ  ２００の転動性を向上させる。さらに、ネスティング（すなわち、隣接するＰＶ太陽電池２０２、２０４、２０６、および２０８を、低縁部が他の隣接するＰＶ太陽電池２０２、２０４、２０６、および２０８の上縁部と重なり合うように隣接するやり方で一緒に配置すること）により、可撓性基板２１０の上面２１２のより高い利用率および上面２１２上のデッドゾーンの削減が可能になる。ＰＶ太陽電池２０２、２０４、２０６、および２０８間の複数の面内相互接続は、ＲＳＰＭ  ２００を転動させる線に沿った不均一性を回避するために整列される。一例として、短い距離（すなわち、ＰＶ太陽電池２０２、２０４、２０６、および２０８の長さ）を３インチ未満に維持し、ＰＶ太陽電池２０２、２０４、２０６、および２０８の表面領域を約７６．８８ｃｍ２にすることによって、ＰＶ太陽電池２０２、２０４、２０６、および２０８を破壊することなくＲＳＰＭ  ２００を転動させる能力を維持しながら、上面２１２の利用率を向上させるであろう。
【００２９】
図３を参照すると、４８個のＰＶ太陽電池３０１、３０２、３０３、３０４、３０５、３０６、３０７、３０８、３０９、３１０、３１１、３１２、３１３、３１４、３１５、３１６、３１７、３１８、３１９、３２０、３２１、３２２、３２３、３２４、３２５、３２６、３２７、３２８、３２９、３３０、３３１、３３２、３３３、３３４、３３５、３３６、３３７、３３８、３３９、３４０、３４１、３４２、３４３、３４４、３４５、３４６、３４７、および３４８を有するＲＳＰＭ  ３００の実装形態の一例の上面図が本開示に従って示されている。４８個のＰＶ太陽電池３０１、３０２、３０３、３０４、３０５、３０６、３０７、３０８、３０９、３１０、３１１、３１２、３１３、３１４、３１５、３１６、３１７、３１８、３１９、３２０、３２１、３２２、３２３、３２４、３２５、３２６、３２７、３２８、３２９、３３０、３３１、３３２、３３３、３３４、３３５、３３６、３３７、３３８、３３９、３４０、３４１、３４２、３４３、３４４、３４５、３４６、３４７、および３４８は、それぞれ２つの端部タブおよび複数の面内相互接続を有する６つのＰＶ太陽電池を有する６つの隣接ストリング３５０、３５２、３５４、３５６、３５８、および３６０内に配置される。
【００３０】
具体的には、第１の隣接ストリング３５０は、第１の端部タブ３６２、第２の端部タブ３６４、およびＰＶ太陽電池３０１、３０２、３０３、３０４、３０５、３０６、３０７、および３０８を含む。第１の隣接ストリング３５０はさらに、第１の端部タブ３６２を第１のＰＶ太陽電池３０１に物理的かつ電気的に接続するサブ複数の面内相互接続（図示せず）および第２の端部タブ３６４を第８のＰＶ太陽電池３０８に物理的かつ電気的に接続する第２のサブ複数の面内相互接続（図示せず）を含む複数の面内相互接続（図示せず）を含む。第１の隣接ストリング３５０はさらに、第２のＰＶ太陽電池３０２を第１のＰＶ太陽電池３０１に、第７のＰＶ太陽電池３０７を第８のＰＶ太陽電池３０８に、残りのＰＶ太陽電池３０３、３０４、３０５、および３０６を第２のＰＶ太陽電池３０２、第７のＰＶ太陽電池３０７およびそれら自体に物理的かつ電気的に接続する第３のサブ複数の面内相互接続（図示せず）を含む。したがって、第１の隣接ストリング３５０は、第１の端部タブ３６２から第２の端部タブ３６４までの電気的直列回路として構成されている。
【００３１】
第２の隣接ストリング３５２は、第１の端部タブ３６６、第２の端部タブ３６８、およびＰＶ太陽電池３０９、３１０、３１１、３１２、３１３、３１４、３１５、および３１６を含む。第２の隣接ストリング３５２はさらに、第１の端部タブ３６６を第１のＰＶ太陽電池３０９に物理的かつ電気的に接続するサブ複数の面内相互接続（図示せず）および第２の端部タブ３６８を第８のＰＶ太陽電池３１６に物理的かつ電気的に接続する第２のサブ複数の面内相互接続（図示せず）を含む複数の面内相互接続（図示せず）を含む。第２の隣接ストリング３５２はさらに、第２のＰＶ太陽電池３１０を第１のＰＶ太陽電池３０９に、第７のＰＶ太陽電池３１５を第８のＰＶ太陽電池３１６に、残りのＰＶ太陽電池３１１、３１２、３１３、および３１４を第２のＰＶ太陽電池３１０、第７のＰＶ太陽電池３１５およびそれら自体に物理的かつ電気的に接続する第３のサブ複数の面内相互接続（図示せず）を含む。したがって、第２の隣接ストリング３５２もまた、第１の端部タブ３６６から第２の端部タブ３６８までの電気的直列回路として構成されている。
【００３２】
第３の隣接ストリング３５４は、第１の端部タブ３７０、第２の端部タブ３７２、およびＰＶ太陽電池３１７、３１８、３１９、３２０、３２１、３２２、３２３、および３２４を含む。第３の隣接ストリング３５４はさらに、第１の端部タブ３７０を第１のＰＶ太陽電池３１７に物理的かつ電気的に接続するサブ複数の面内相互接続（図示せず）および第２の端部タブ３７２を第８のＰＶ太陽電池３２４に物理的かつ電気的に接続する第２のサブ複数の面内相互接続（図示せず）を含む複数の面内相互接続（図示せず）を含む。第３の隣接ストリング３５４はさらに、第２のＰＶ太陽電池３１８を第１のＰＶ太陽電池３１７に、第７のＰＶ太陽電池３２３を第８のＰＶ太陽電池３２４に、残りのＰＶ太陽電池３１９、３２０、３２１、および３２２を第２のＰＶ太陽電池３１８、第７のＰＶ太陽電池３２３およびそれら自体に物理的かつ電気的に接続する第３のサブ複数の面内相互接続（図示せず）を含む。したがって、第３の隣接ストリング３５４もまた、第１の端部タブ３７０から第２の端部タブ３７２までの電気的直列回路として構成されている。
【００３３】
第４の隣接ストリング３５６は、第１の端部タブ３７４、第２の端部タブ３７６、およびＰＶ太陽電池３２５、３２６、３２７、３２８、３２９、３３０、３３１、および３３２を含む。第４の隣接ストリング３５６はさらに、第１の端部タブ３７４を第１のＰＶ太陽電池３２５に物理的かつ電気的に接続するサブ複数の面内相互接続（図示せず）および第２の端部タブ３７６を第８のＰＶ太陽電池３３２に物理的かつ電気的に接続する第２のサブ複数の面内相互接続（図示せず）を含む複数の面内相互接続（図示せず）を含む。第４の隣接ストリング３５６はさらに、第２のＰＶ太陽電池３２６を第１のＰＶ太陽電池３２５に、第７のＰＶ太陽電池３３１を第８のＰＶ太陽電池３３２に、残りのＰＶ太陽電池３２７、３２８、３２９、および３３０を第２のＰＶ太陽電池３２６、第７のＰＶ太陽電池３３１およびそれら自体に物理的かつ電気的に接続する第３のサブ複数の面内相互接続（図示せず）を含む。したがって、第４の隣接ストリング３５６もまた、第１の端部タブ３７４から第２の端部タブ３７６までの電気的直列回路として構成されている。
【００３４】
第５の隣接ストリング３５８は、第１の端部タブ３７８、第２の端部タブ３８０、およびＰＶ太陽電池３３３、３３４、３３５、３３６、３３７、３３８、３３９、および３４０を含む。第５の隣接ストリング３５８はさらに、第１の端部タブ３７８を第１のＰＶ太陽電池３３３に物理的かつ電気的に接続するサブ複数の面内相互接続（図示せず）および第２の端部タブ３８０を第８のＰＶ太陽電池３４０に物理的かつ電気的に接続する第２のサブ複数の面内相互接続（図示せず）を含む複数の面内相互接続（図示せず）を含む。第５の隣接ストリング３５８はさらに、第２のＰＶ太陽電池３３４を第１のＰＶ太陽電池３３３に、第７のＰＶ太陽電池３３９を第８のＰＶ太陽電池３４０に、残りのＰＶ太陽電池３３５、３３６、３３７、および３３８を第２のＰＶ太陽電池３３４、第７のＰＶ太陽電池３３９およびそれら自体に物理的かつ電気的に接続する第３のサブ複数の面内相互接続（図示せず）を含む。したがって、第５の隣接ストリング３５８もまた、第１の端部タブ３７８から第２の端部タブ３８０までの電気的直列回路として構成されている。
【００３５】
さらに、第６の隣接ストリング３６０は、第１の端部タブ３８２、第２の端部タブ３８４、およびＰＶ太陽電池３４１、３４２、３４３、３４４、３４５、３４６、３４７、および３４８を含む。第６の隣接ストリング３６０はさらに、第１の端部タブ３８２を第１のＰＶ太陽電池３４１に物理的かつ電気的に接続するサブ複数の面内相互接続（図示せず）および第２の端部タブ３８４を第８のＰＶ太陽電池３４８に物理的かつ電気的に接続する第２のサブ複数の面内相互接続（図示せず）を含む複数の面内相互接続（図示せず）を含む。第６の隣接ストリング３６０はさらに、第２のＰＶ太陽電池３４２を第１のＰＶ太陽電池３４１に、第７のＰＶ太陽電池３４７を第８のＰＶ太陽電池３４８に、残りのＰＶ太陽電池３４３、３４４、３４５、および３４６を第２のＰＶ太陽電池３４２、第７のＰＶ太陽電池３４７およびそれら自体に物理的かつ電気的に接続する第３のサブ複数の面内相互接続（図示せず）を含む。したがって、第６の隣接ストリング３６０もまた、第１の端部タブ３８２から第２の端部タブ３８４までの電気的直列回路として構成されている。
【００３６】
ＲＳＰＭ  ３００はまた、複数の端部タブジャンパ３８６、３８７、３８８、３８９、および３９０を含み、第１の端部タブジャンパ３８６は第１の隣接ストリング３５０の第２の端部タブ３６４を第２の隣接ストリング３５２の第１の端部タブ３６６に物理的かつ電気的に接続し、第２の端部タブジャンパ３８７は第２の隣接ストリング３５２の第２の端部タブ３６８を第３の隣接ストリング３５４の第１の端部タブ３７０に物理的かつ電気的に接続し、第３の端部タブジャンパ３８８は第３の隣接ストリング３５４の第２の端部タブ３７２を第２の隣接ストリング３５６の第１の端部タブ３７４に物理的かつ電気的に接続する。さらに、第４の端部タブジャンパ３８９は第４の隣接ストリング３５６の第２の端部タブ３７６を第５の隣接ストリング３５８の第１の端部タブ３７８に物理的かつ電気的に接続し、第５の端部タブジャンパ３９０は第５の隣接ストリング３５８の第２の端部タブ３８０を第６の隣接ストリング３６０の第１の端部タブ３８２に物理的かつ電気的に接続する。この例では、ＲＳＰＭ  ３００は第１のピックアップタブ３９２および第２のピックアップタブ３９３をさらに含み、第１のピックアップタブ３９２は第１の隣接ストリング３５０の第１の端部タブ３６２に物理的かつ電気的に接続され、第２のピックアップタブは第６の隣接ストリング３６０の第２の端部タブ３８４に物理的かつ電気的に接続されている。したがって、複数の端部タブジャンパ３８６、３８７、３８８、３８９、および３９０は、第１のピックアップタブ３９２から第２のピックアップタブ３９３までの電気経路を有する複数の隣接ストリング３５０、３５２、３５４、３５６、３５８、および３６０から電気直列回路を作製する。
【００３７】
この例では、４８個のＰＶ太陽電池３０１、３０２、３０３、３０４、３０５、３０６、３０７、３０８、３０９、３１０、３１１、３１２、３１３、３１４、３１５、３１６、３１７、３１８、３１９、３２０、３２１、３２２、３２３、３２４、３２５、３２６、３２７、３２８、３２９、３３０、３３１、３３２、３３３、３３４、３３５、３３６、３３７、３３８、３３９、３４０、３４１、３４２、３４３、３４４、３４５、３４６、３４７、および３４８が可撓性基板３９５の上面３９４に取り付けられ、６つの隣接ストリング３５０、３５２、３５４、３５６、３５８、および３６０に対応するＰＶ太陽電池は可撓性基板３９５の長さ３９６に沿って配置される。さらに、複数の隣接ストリング３５０、３５２、３５４、３５６、３５８、および３６０は、可撓性基板３９５の上面３９４のあらゆる「デッドゾーン」（すなわち、ＰＶ太陽電池によって覆われない上面３９４に沿った領域）を最小にするように、可撓性基板３９５の幅３９７に沿って配置される。この例では、個々の面内相互接続の長さは、第１の端部タブ３６２、３６６、３７０、３７４、３７８、および３８２と第２の端部タブ３６４、３６８、３７２、３７６、３８０、および３８４の位置ならびにＰＶ太陽電池の列の位置を揃えるように設計されている。この例では、ＰＶ太陽電池の第１の列はＰＶ太陽電池３０１、３１６、３１７、３３２、３３３、および３４８を含み、ＰＶ太陽電池の第２の列はＰＶ太陽電池３０２、３１５、３１８、３３１、３３４、および３４７を含み、ＰＶ太陽電池の第３の列はＰＶ太陽電池３０３、３１４、３１９、３３０、３３５、および３４６を含み、ＰＶ太陽電池の第４の列はＰＶ太陽電池３０４、３１３、３２０、３２９、３３６、および３４５を含み、ＰＶ太陽電池の第５の列はＰＶ太陽電池３０５、３１２、３２１、３２８、３３７、および３４４を含み、ＰＶ太陽電池の第６の列はＰＶ太陽電池３０６、３１１、３２２、３２７、３３８、および３４３を含み、ＰＶ太陽電池の第７の列はＰＶ太陽電池３０７、３１０、３２３、３２６、３３９、および３４２を含み、ＰＶ太陽電池の第８の列はＰＶ太陽電池３０８、３０９、３２４、３２５、３４０、および３４１を含む。
【００３８】
一例として、可撓性基板３９５は、ＫＡＰＴＯＮ（登録商標）などの２ミリメートルシートの可撓性ポリイミドフィルムであり得る。複数のＰＶ太陽電池は、接着剤（例えば、カリフォルニア州カーピンテリアのＮｕＳｉｌ  Ｔｅｃｈｎｏｌｏｇｙ  ＬＬＣによって製造されたＣＶ−２５６８接着剤）を利用して可撓性基板３９５の上面３９４に結合され得る。この例では、可撓性基板３９５の長さ３９６は約２３インチであり、幅３９７は約３１インチである。各ＰＶ太陽電池が、カリフォルニア州シルマーのＳｐｅｃｔｒｏｌａｂ社によって製造された太陽電池プラス相互接続プラスカバーガラス（「ＣＩＣ」）として組み立てられる場合、ＣＩＣのサイズは幅約１３ｃｍ、長さ約６．２５ｃｍで、約７６．８８ｃｍ２の表面領域であり得る。ＣＩＣは、例えば、カリフォルニア州シルマーのＳｐｅｃｔｒｏｌａｂ社によって製造されているＸＴＪプライム太陽電池であり得る。この例では、ＰＶ太陽電池の狭いスペースのアレイのおおよそのサイズは、幅約２８．８７インチで長さ２２．２６インチであり、その結果、可撓性基板３９５の上面３９４上に少量のデッドゾーン（約１０％未満）が生じる。
【００３９】
この例では、第１のピックアップタブ３９２および第２のピックアップタブ３９３はそれぞれ、ＲＳＰＭ  ３００から外部電源ハーネス（図示せず）にＲＳＰＭ  ３００から生成された電力をルーティングするために、ＲＳＰＭ  ３００をＲＳＰＭ  ３００の外部の他の回路に電気的に接続するために利用される銀クラッドニッケル−コバルト鉄合金（デラウェア州ウィルミントンのＣＲＳホールディングス社によって製造されているＫＯＶＡＲ（登録商標）など）タブであり得る。さらに、各端部タブジャンパ（ターンアラウンドジャンパとしても知られている）３８６、３８７、３８８、３８９、および３９０はまた、銀クラッドニッケル−コバルト鉄合金（例えば、ＣＲＳホールディングス社（デラウェア州ウィルミントン）によって製造されているＫＯＶＡＲ（登録商標）など）から構成し得る。この例では、ＰＶ太陽電池３０１、３０２、３０３、３０４、３０５、３０６、３０７、３０８、３０９、３１０、３１１、３１２、３１３、３１４、３１５、３１６、３１７、３１８、３１９、３２０、３２１、３２２、３２３、３２４、３２５、３２６、３２７、３２８、３２９、３３０、３３１、３３２、３３３、３３４、３３５、３３６、３３７、３３８、３３９、３４０、３４１、３４２、３４３、３４４、３４５、３４６、３４７、および３４８を可撓性基板３９５の上面３９４上に結合する前に、端部タブジャンパ３８６、３８７、３８８、３８９、および３９０が、例えば溶接を利用して、対応する端部タブ３６２、３６４、３６６、３６８、３７０、３７２、３７４、３７６、３７８、および３８０に取り付けられる。
【００４０】
図４では、ＲＳＰＭ  ３００の拡大上面図が本開示による第２の隣接ストリング３５２の第１の端部タブ３６６、第１の隣接ストリング３５０の第２の端部タブ３６４、および第１の端部タブジャンパ３８６を例示している。この例では、第１の端部タブジャンパ３８６は、第８のＰＶ太陽電池３０８および第１のＰＶ太陽電池を可撓性基板３９５の上面３９４に結合する前に、第１の端部タブジャンパ３８６を第１の端部タブ３６６と第２の端部タブ３６４の両方に溶接接点４００および４０２でそれぞれ溶接することによって取り付けられる。一例として、第１の端部タブジャンパ３８６は約１．５８８インチの長さを有し、溶接接点４００および４０２はそれぞれ第１の端部タブジャンパ３８６の端部と第１の端部タブ３６６および第２の端部タブ３６４それぞれの両方の端部との間に約０．１００インチのオーバーラップを有する。この例では、第１の端部タブジャンパ３８６は、第１の端部タブジャンパ３８６の端部で引っ張る力からの機械的応力緩和を可能にするために一つ以上の応力緩和ループ４０４を含み得る。
【００４１】
この例では、第８のＰＶ太陽電池３０８および第１のＰＶ太陽電池３０９をそれぞれ第２の端部タブ３６４および第１の端部タブ３６６に物理的かつ電気的に接続する複数の面内相互接続も示されている。具体的には、第８のＰＶ太陽電池３０８は第８のＰＶ太陽電池３０８を第２の端部タブ３６４に物理的および電気的に接続する第１、第２、および第３の面内相互接続４０６、４０８、および４１０を含み、および第１のＰＶ太陽電池３０９は第１のＰＶ太陽電池３０９を第１の端部タブ３６６に物理的かつ電気的に接続する第１、第２、第３、および第４の面内相互接続４１２、４１４、４１６、および４１８を含む。この例では、第２の端部タブ３６４、第１の端部タブ３６６、第１の端部タブジャンパ３８６、および面内相互接続４０６、４０８、４１０、４１２、４１４、４１６、および４１８は、接着剤および／またはＳｉＯ２で上塗りされ、原子状酸素およびプラズマ誘起アーク放電の影響を軽減するため、これらの構成要素が確実に露出されないようにし得る。
【００４２】
第８のＰＶ太陽電池３０８および第１のＰＶ太陽電池３０９を整列させておくために、第２の端部タブ３６４および第１の端部タブ３６６は面内相互接続４０６、４０８、４１０、４１２、４１４、４１６、および４１８と組み合わせて利用されることを理解されたい。この例では、第８のＰＶ太陽電池３０８に関連する面内相互接続４０６、４０８、および４１０の長さは、第１のＰＶ太陽電池３０９に関連する面内相互接続４１２、４１４、４１６、および４１８の長さとは異なる。なぜなら、面内相互接続４０６、４０８、４１０、４１２、４１４、４１６、および４１８は、各隣接ストリングに対して所定の等価長を達成するようにトリミングされているからである。
【００４３】
一般に、複数の面内相互接続（面内相互接続４０６、４０８、４１０、４１２、４１４、４１６、および４１８を含む）は、複数の隣接ストリング３５０、３５２、３５４、３５６、３５８、および３６０が複数の端部タブ３６２、３６４、３６６、３６８、３７０、３７２、３７４、３７６、３７８、３８０、３８２、および３８４と整列したタブであることを可能にする。これにより、端面タブが相互接続回路（すなわち、ＲＳＰＭ  ３００の作製された直列回路）内で整列するように面内相互接続が配置されるので、製造自動化を促進するＲＳＰＭ  ３００の回路アセンブリの製造が容易になる。したがって、隣接ストリング３５０、３５２、３５４、３５６、３５８、および３６０を容易に接続して相互接続回路（すなわち直列回路）を完成させることができる。したがって、一般に開示された端部タブを利用すると、面内相互接続は、複数の面内相互接続を介して直列に接続された複数のＰＶ太陽電池を含む直列回路の作成を可能にし、平行であり、隣接ストリングが隣接ストリングのそれぞれの端部に位置する端部タブを含む複数の隣接ストリングを形成する。この手法は、自動化を容易にするだけでなく、所与の隣接ストリング（例えば、３５０、３５２、３５４、３５６、３５８、および３６０）またはＲＳＰＭ  ３００全体の構成要素の転動を支援する。端部タブジャンパは、隣接ストリングが電気的に直列になり、端部タブが可撓性基板３９５の上面３９４上に物理的に整列するように端部タブを電気的に接続する。
【００４４】
この例では、第１のＰＶ太陽電池３０９から第１の端部タブ３６６までの第１の面内相互接続４１２、第３の面内相互接続４１６、および第４の面内相互接続４１８は、第１のＰＶ太陽電池３０９の正面表面４２０に物理的かつ電気的に接続される。さらに、第１のＰＶ太陽電池３０９から第１の端部タブ３６６までの第２の面内相互接続４１４は第１のＰＶ太陽電池３０９の背面にあるバイパスダイオード（図示せず）に物理的かつ電気的に接続された面内相互接続である。
【００４５】
図５Ａ〜図５Ｃを参照すると、本開示による端部タブジャンパ５００の一例が示されている。具体的には、図５Ａに、本開示による端部タブジャンパ５００の実装形態の一例の斜視図を示す。図５Ｂに、本開示による端部タブジャンパ５００の上面図を示し、図５Ｃに、本開示による端部タブジャンパ５００の側面図を示す。この例では、端部タブジャンパ５００は少なくとも一つの薄型応力緩和ループ５０２ならびに整列された端部タブ（図示せず）と溶接接触するための第１のオーバーラップ領域５０４および第２のオーバーラップ領域５０６を含む。この例では、第１のオーバーラップ領域５０４および第２のオーバーラップ領域５０６は、図４に示される溶接接点４００および４０２に対応する。同様に、薄型応力緩和ループ５０２は、図４に示す応力緩和ループ４０４に対応する。
【００４６】
図６Ａでは、本開示による面内相互接続６００（例えば、４１２、４１４、４１６、または４１８）の実装形態の一例の上面図が示されている。面内相互接続６００は、第１のタブ６０２、第２のタブ６０４、および「無限ループ」または楕円形（「面内相互接続の無限タブ」としても知られるが、本明細書では無限相互接続６０６と呼ばれる）の形状の応力緩和セクションを含む。面内相互接続６００は、平面外の応力緩和相互接続と比較して応力緩和および機能性を提供する平坦で薄型の相互接続タブである。この例では、第１のタブ６０２および第２のタブ６０４は、複数の「つま先」（すなわち、第１のタブ６０２および第２のタブ６０４の平行部分）を有する面内相互接続６００の端部である。無限相互接続６０６は、面内相互接続６００の平面上にあり、無限相互接続６０６の中点と交差する仮想中心軸線６０８上に位置する仮想ヒンジに沿って撓むことを可能にする面内相互接続６００上の応力緩和セクションである。一例として、無限相互接続６０６は、例えば、約−１７５℃〜約１５５℃の間であり得る広い温度範囲にわたって応力緩和を提供する。開示されたように、面内相互接続６００はＲＳＰＭの転動によって撓んでも、面内相互接続６００が電気的短絡しても、物理的キンクが面内相互接続６００で生じても損傷を受けない。この例では、面内相互接続６００は第１の長さ６１０を有する。
【００４７】
図６Ｂは、本開示による第２の長さ６１２にトリミングされた面内相互接続６００の実装形態の一例の上面図である。図６Ｃでは、面内相互接続６００は第３の長さ６１４にトリミングされて示されており、図６Ｄでは、面内相互接続６００は第４の長さ６１６にトリミングされて示されている。
【００４８】
図４に戻ると、第８のＰＶ太陽電池３０８の第１、第２、および第３の面内相互接続４０６、４０８、および４１０の第１の長さは、第１、第３、および第４の面内相互接続４１２、４１６、および４１８の第２の長さならびに第２の面内相互接続４１４の第３の長さとは異なることを理解されたい。これらの異なる長さの理由は、第８のＰＶ太陽電池３０８および第１のＰＶ太陽電池３０９を、第１の隣接ストリング３５０の整列した第２の端部タブ３６４および第２の隣接ストリング３５２の第１の端部タブ３６６に適切に整列させるためである。言い換えれば、第８のＰＶ太陽電池３０８の第１、第２、および第３の面内相互接続４０６、４０８、および４１０は、第１の隣接ストリング３５０の直列回路を完成するために第２の端部タブ３６４を第８のＰＶ太陽電池３０８の背側に適切に電気的に接続するように設計された第１の長さを有し、他方、第１、第３、および第４の面内相互接続４１２、４１４、および４１８は第２の隣接ストリング３５２の直列回路を完成するために第１の端部タブ３６６を第１のＰＶ太陽電池３０９の前面４２０の縁部４２２に適切に電気的に接続するように設計された第２の長さを有する。この例では、第２の面内相互接続４１４は第３の長さ（第１、第３、および第４の面内相互接続４１２、４１４、および４１８の第２の長さとは異なり得る）を有する。その理由は、第２の面内相互接続４１４が第１の端部タブ３６６を第１のＰＶ太陽電池３０９の背側のバイパスダイオード（図示せず）に電気的に接続するように設計されているためである。
【００４９】
図６Ａから図６Ｄに戻ると、面内相互接続６００の長さ６１０、６１２、６１４、および６１６は、ＲＳＰＭの隣接ストリングの設計によって予め決められている。一例として、（図示のように）第８のＰＶ太陽電池３０８の第１、第２、および第３の面内相互接続４０６、４０８、および４１０は図６Ａおよび図６Ｃに示すように第１の長さ６１０または第３の長さ６１４を有し得る。一方、（図示されるように）第１のＰＶ太陽電池３０９の第１、第３、および第４の面内相互接続４１２、４１４、および４１８は、図６Ｂに示されるように第２の長さ６１２を有し得る。さらに、（図示されるように）第１のＰＶ太陽電池３０９の第２の面内相互接続４１４は、図６Ｄに示されるように第４の長さ６１６を有し得る。この例では、これらの異なる長さ６１０、６１２、６１４、および６１６は、それぞれの長さをＲＳＰＭの設計によって決定された所定の長さ値にトリミングすることによって製造し得る。一例として、面内相互接続６００がデフォルトの元の長さ値を有する量で製造される場合、第１の長さ６１０は元の長さ値であると仮定される。次に、第２の長さ６１２はＲＳＰＭの設計に基づく所定のトリム量だけ第１のタブ６０２および第２のタブ６０４をトリミングすることによって製造される。このトリミングで第３のタブ６１８と第４のタブ６２０が生成される。同様に、元の長さ（すなわち、第１の長さ）が所与の設計に対して大きすぎる場合、トリミングでまた、第５のタブ６２２および第６のタブ６２４が製造され得る。さらに、図６Ｄでは、第４の長さ６１６はＲＳＰＭの設計に基づいて、元のタブのうちの一つ（すなわち、第１のタブ６０２または第２のタブ６０４のいずれか）だけをトリミングすることによって生成され得る。この例では、第２のタブ６０４は第７のタブ６２６を製造するためにトリミングされているように示されている。あるいは、第１のタブは、設計の目的を変えることなく、第２のタブ６０４の代わりにトリミングされ得る。その上、ＲＳＰＭの所望の設計に基づいて、第１のタブ６０２および第２のタブ６０４の所定量のトリミング値の他の組み合わせを利用し得る。
【００５０】
図７では、端部タブ７０６に取り付けられた面内相互接続７００、７０２、および７０４の実装形態の一例の上面図が本開示により示されている。この例では、面内相互接続７００、７０２、および７０４は、図４に示される第８のＰＶ太陽電池３０８の第１、第２、および第３の面内相互接続４０６、４０８、および４１０とし得る。この例では、面内相互接続７００、７０２、および７０４は、それぞれ（面内相互接続７００、７０２、および７０４の）第１のタブ７１４、第２のタブ７１６、および第３のタブ７１８で溶接点７０８、７１０、および７１２を介して端部タブ７０６に取り付けられている。面内相互接続７００、７０２、および７０４はまた、それぞれ第４のタブ７２０、第５のタブ７２２、第６のタブ７２４、第１の無限相互接続７２６、第２の無限相互接続７２８、および第３の無限相互接続７３０を含む。
【００５１】
先に論じたように、無限相互接続７２６、７２８、および７３０は、面内相互接続７００、７０２、および７０４の平面上にあり、無限相互接続７２６、７２８、および７３０の中点と交差する、無限相互接続７２６、７２８、および７３０の仮想中心軸線７３２上に位置する仮想ヒンジに沿って撓むことを可能にする面内相互接続７００、７０２、および７０４上の応力緩和セクションである。一般に、面内相互接続７００、７０２、および７０４（および図６Ａ〜図６Ｄに関して説明したような面内相互接続のタブの所定のトリミングに基づく他の面内相互接続の変形例）は、各隣接ストリングのそれぞれで端部タブの整列ができるように所定の長さにトリミングされる。これは、面内相互接続７００、７０２、および７０４をトリミングして、各隣接ストリングについて所定の等価の長さを達成することによって成し遂げられる。したがって、面内相互接続７００、７０２、および７０４は、仮想中心軸線７３２に沿って撓むことができるように配置される。長さが予め決まったら、端部タブジャンパ（例えば端部タブジャンパ５００）を利用して、隣接ストリングの隣接する端部タブを互いに物理的かつ電気的に接続する。これにより、製造のための自動化が容易であり、ＲＳＰＭの構成要素の転動を支援するＲＳＰＭの構成要素のレイアウトがもたらされる。このように、この手法を利用して、ＲＳＰＭは一連の隣接ストリングを並列に形成するために複数の面内相互接続を介して相互接続された一連のＰＶ太陽電池を有する回路を含み、隣接ストリングは各隣接ストリングの端部に配置された端部タブを含み、隣接ストリングは互いに並列である。次に、隣接ストリングが電気的に直列で、端部タブが互いに物理的に整列するように、端部タブジャンパが端部タブを互いに接続する。
【００５２】
図８には、本開示による端部タブ８００の実装形態の一例の上面図が示されている。一般に、端部タブ８００は平らな金属片であり、打ち抜き加工の前にプレハブブランクとし得る。
【００５３】
図９Ａを参照すると、本開示による複数のＰＶ太陽電池の隣接ストリング９００の実装形態の一例の正面図が示されている。この例では、説明を容易にするために複数のＰＶ太陽電池のうちの２つのＰＶ太陽電池９０２および９０４が示されている。しかしながら、ＰＶ太陽電池の数は、２を超える任意の数であり得ることを理解されたい。図９Ｂでは、複数のＰＶ太陽電池（すなわち、ＰＶ太陽電池９０２および９０４を含む）の隣接ストリング９００の実装形態の背面図が本開示に従って示されている。
【００５４】
この例では、第１のＰＶ太陽電池９０２は面内相互接続９０８、９１０、および９１２を介して第１の端部タブ９０６と、そして面内相互接続９１６、９１８、９２０、および９２２を介して一つ以上のＰＶ太陽電池９１４とそれぞれ物理的かつ電気的に接続される。さらに、面内相互接続９２２は、第１のＰＶ太陽電池９０２の背面９２６上でバイパスダイオード９２４に物理的かつ電気的に接続されている。さらに、面内相互接続９０８、９１０、および９１２は、第１のＰＶ太陽電池９０２の背面９２６上の回路（図示せず）に物理的かつ電気的に接続され、面内相互接続９１６、９１８、および９２０は第１のＰＶ太陽電池９０２の正面９２８の縁部９２７に物理的かつ電気的に接続されている。
【００５５】
同様に、第２のＰＶ太陽電池９０４は面内相互接続９３２、９３４、９３６、および９３８を介して第２の端部タブ９３０と、そして面内相互接続９４０、９４２、９４４、および９４６を介して一つ以上のＰＶ太陽電池９１４とそれぞれ物理的かつ電気的に接続される。さらに、面内相互接続９３４は、第２のＰＶ太陽電池９０４の背面９５０上でバイパスダイオード９４８に物理的かつ電気的に接続されている。その上、面内相互接続９３２、９３６、および９３８は、第２のＰＶ太陽電池９０４の正面９５２の縁部９５６に物理的かつ電気的に接続されている。その上、面内相互接続９４０、９４２、９４４、および９４６は、第２のＰＶ太陽電池９０４の背面９５０上の回路（図示せず）に物理的かつ電気的に接続され、面内相互接続９１６、９１８、９２０、および９２２は一つ以上のＰＶ太陽電池９１４の背面９５４に物理的かつ電気的に接続されている。面内相互接続９４４は、一つ以上のＰＶ太陽電池９１４のバイパスダイオード９５７に物理的かつ電気的に接続されている。
【００５６】
この例では、面内相互接続９０８、９１０、９１２、９１６、９１８、９２０、９２２、９３２、９３４、９３６、９３８、９４０、９４２、９４４、および９４６は、図６Ａ〜６Ｄに関して前述したように異なる長さを有し得る。例えば、（前述したように）幅が約１３ｃｍ、長さが約６．２５ｃｍ、表面領域が約７６．８８ｃｍ２のサイズを有するＰＶ太陽電池を仮定すると、面内相互接続９４０、９４２、および９４６は図６Ａに示される面内相互接続６００と同様の形状を有する約０．６５９インチの長さを有し得る。面内相互接続９０８、９１０、および９１２は、約０．９３１インチ（図６Ｄに示される面内相互接続６００と同様の形状を有する）の長さを有し得、面内相互接続９２２からバイパスダイオード９２４までは図６Ｃに示される面内相互接続６００と同様の形状で約０．７３０インチの長さを有し得る。さらに、第２のＰＶ太陽電池９０４の縁部９５６から第２の端部タブ９３０の外側縁部９５８までの距離は約０．３７７インチであり得、面内相互接続９３２、９３４、９３６、および９３８の溶接点は第２の端部タブ９３０の外側縁部９５８から約０．０２０インチ、および第２のＰＶ太陽電池９０４の縁部９５６から約０．０５１インチに位置する。その上、第１のＰＶ太陽電池９０２の縁部９６０から第１の端部タブ９０６の外側縁部９６２までの距離は、約０．３７７インチであり得る。
【００５７】
バイパスダイオード９２４、９４８、および９５７は、異なるＰＶ太陽電池が特定の隣接する一連のＰＶ太陽電池のストリングを通して連続的に電流を流すことを可能にする装置であることを当業者は理解するであろう。具体的には、いくつかのＰＶ太陽電池が日陰または直列に接続された他のＰＶ太陽電池と同じくらいの太陽エネルギーを受けていないとき、大きな太陽エネルギーを受けるＰＶ太陽電池は、受け取る太陽エネルギーの量が少ないためにより少ない電流を生み出しているＰＶ太陽電池よりも大きな電流を生み出す。バイパスダイオードを使用しない場合の結果は、高電流を生み出すＰＶ太陽電池は、すべて直列に接続され、直列回路の電流は回路全体で同じなので、より低い電流を生み出すＰＶ太陽電池が処理できるよりも多くの電流を通すようにさせることである。これは、より低い電流を生み出すＰＶ太陽電池への損傷、またはシステムに正味の電圧損失を引き起こす負電圧の領域での損傷をもたらす可能性がある。バイパスダイオードは、より低い電流を生み出すＰＶ太陽電池を通る電圧損失を低減する並列回路で、電流をより低い電流を生み出すＰＶ太陽電池の周りに通すことを可能にすることによってこの状態を防止する。
【００５８】
この例では、各セットの面内相互接続は、各セットの面内相互接続がこれらの仮想中心軸線の周りで面内相互接続を撓むことを可能にする仮想中心軸を有するように物理的に整列されている。具体的には、第１のセットの面内相互接続９０８、９１０、および９１２は、第１の仮想中心軸線９６４を有する。第２のセットの面内相互接続９１６、９１８、９２０、および９２２は、第２の仮想中心軸線９６６を有する。第３のセットの面内相互接続９４０、９４２、９４４、および９４６は第３の仮想中心軸線９６８を有し、第４のセットの面内相互接続９３２、９３４、９３６、および９３８は第４の仮想中心軸線９７０を有する。これらの仮想軸線９６４、９６６、９６８、および９７０は、隣接ストリング９００を撓めて転動させることを可能にするのをサポートする。
【００５９】
図１０は、本開示によるピックアップタブ１０００の実装形態の一例の斜視図である。一般に、ピックアップタブ１０００は、つま先１００２を有する平坦な金属片である。図１１〜図１６を参照すると、本開示による、異なる凸多角形の形状を有する、いくつかの可能なＰＶ太陽電池が示されている。図１１では、約１２．７１ｃｍの幅１１０２、約６．２５ｃｍの長さ１１０４、および結果として約７３ｃｍ２の表面領域１１０６を有する６面多角形を有する（本開示による）ＰＶ太陽電池１１００が示されている。図１２では、約６．９１ｃｍの幅１２０２、約３．９７ｃｍの長さ１２０４、および結果として約２７ｃｍ２の表面領域１２０６を有する長方形の多角形を有する（本開示による）ＰＶ太陽電池１２００が示されている。図１３には、約１３．８９ｃｍの幅１３０２、約６．９６ｃｍの長さ１３０４、および結果として約８０ｃｍ２の表面領域１３０６を有するＤ形状多角形（２つの湾曲した辺を備える）を有する（本開示による）ＰＶ太陽電池１３００が示されている。図１４では、約５．４２８ｃｍの幅１４０２、約２．５９６ｃｍの長さ１４０４、および結果として約７６．８８ｃｍ２の表面領域１４０６を有する別のＤ形状多角形（８辺を有する）を有する（本開示による）ＰＶ太陽電池１４００が示されている。先に論じたように、ＰＶ太陽電池１４００は、可撓性基板の上面の使用を最適化し、あらゆるデッドゾーンを最小限に抑えるために、前の例で利用された形状とし得る。同様に、図１５では、約５．４２８ｃｍの幅１５０２、約２．５９６ｃｍの長さ１５０４、および結果として約７８．８９ｃｍ２の表面領域１５０６を有するさらに別のＤ形状多角形（８辺を有する）を有する（本開示による）ＰＶ太陽電池１５００が示されている。ＰＶ太陽電池１４００とＰＶ太陽電池１５００との間の表面領域の差は、Ｄ形状多角形での辺の幾何学的位置に基づいている。先に論じたように、ＰＶ太陽電池１５００は、可撓性基板の上面の使用を最適化し、あらゆるデッドゾーンを最小限に抑えるために、前の例で利用された形状とし得る。
【００６０】
一般に、図１１〜図１５に示される異なるＰＶ太陽電池の例示的な多角形形状は、幅と長さとの間に約２対１の比を有する凸多角形である。この比率は、ＲＳＰＭを撓めて転動することを可能にするのに役立つ。しかしながら、異なる多角形形状を有する他のＰＶ太陽電池もＲＳＰＭで利用され得る。例えば、図１６では、８辺を備える八角形形状の多角形周囲を有する別のＰＶ太陽電池１６００の実装形態の一例の上面図が本開示により示されている。この例では、ＰＶ太陽電池１６００は、幅１６０２と長さ１６０４との間に約１対１の比を有する凸多角形である。幅１６０２および長さ１６０４の値は、可撓性基板の上面の使用を最適化し、デッドゾーンを最小限に抑えるために、ＲＳＰＭの設計によって予め決められている。得られたＰＶ太陽電池１６００の表面領域１６０６は、幅１６０２と長さ１６０４の乗算から切り出し領域１６０８、１６１０、１６１２、および１６１４を引いたものにほぼ等しい。
【００６１】
図１７を参照すると、本開示によるＰＶ太陽電池を製造する実装形態の一例のプロセス図が示されている。このプロセスは、まず、上面１７１０を有するＰＶ太陽電池基板１７０８の縁部１７０６に複数の面内相互接続１７００、１７０２、および１７０４を取り付けることによって始まる。次に、カバーガラス１７１２がＰＶ太陽電池基板１７０８の上面１７１０に取り付けられる。次に、ＰＶ太陽電池基板１７０８を転回し、背側バイパスダイオード１７１４、バイパスダイオードアセンブリ１７１６、および面内相互接続１７１８をＰＶ太陽電池基板１７０８の背側１７２０に取り付けて、完成したＰＶ太陽電池１７２２を製造する。
【００６２】
図１８では、ＰＶ太陽電池１７２２を製造する方法１８００の実装形態の一例のフローチャートが本開示により示されている。方法１８００は、ステップ１８０２で、前面の面内相互接続１７００、１７０２、および１７０４をＰＶ太陽電池基板１７０８の縁部１７０６に取り付けることによって開始する。ステップ１８０４で、カバーガラス１７１２がＰＶ太陽電池基板１７０８の上面１７１０に取り付けられる。ステップ１８０６で、ＰＶ太陽電池基板１７０８を転回し、背側バイパスダイオード１７１４、バイパスダイオードアセンブリ１７１６、および面内相互接続１７１８をＰＶ太陽電池基板１７０８の背側１７２０に取り付けて、完成したＰＶ太陽電池１７２２を製造する。ステップ１８０８で、ＰＶ太陽電池１７２２が適切に機能し、方法１８００が終了することを確認するためにエレクトロルミネセンス検査および試験が行われる。
【００６３】
ＰＶ太陽電池１７２２が製造されると、ＰＶ太陽電池（ＰＶ太陽電池１７２２など）の隣接ストリングを製造し、可撓性基板上に結合して、図１９Ａから図２３に示すようにＲＳＰＭを製造し得る。具体的には、図１９Ａは複数のＰＶ太陽電池１９０２の隣接ストリング１９００の実装形態の一例の斜視図である。斜視図は、ＰＶ太陽電池１９０２の上面図である。この例では、８個のＰＶ太陽電池１９０２が示されているが、ＲＳＰＭの設計に基づいて任意の複数のＰＶ太陽電池１９０２を利用し得ることを理解されたい。第１のＰＶ太陽電池１９０４および第８のＰＶ太陽電池１９０６は、それぞれ第１の端部タブ１９０８および第２の端部タブ１９１０に取り付けられている。取り付けは、前述のように、第１の端部タブ１９０８と第１のＰＶ太陽電池１９０４の両方に第１の複数の面内相互接続を溶接することによって達成される。第８のＰＶ太陽電池１９０６は第２の端部タブ１９１０に溶接されている。前述のとおりさらに、個々のＰＶ太陽電池間の複数の面内相互接続を溶接することによって、（複数のＰＶ太陽電池１９０２内の）残りのＰＶ太陽電池を互いに取り付け、第１のＰＶ太陽電池１９０４と第８のＰＶ太陽電池１９０６を取り付ける。溶接プロセスは自動溶接機を使用して達成し得る。図１９Ｂでは、複数のＰＶ太陽電池１９０２の隣接ストリング１９００の背側の斜視図が示されている。この例では、ＰＶ太陽電池１９０２を互いに、および第１の端部タブ１９０８および第２の端部タブ１９１０を物理的および電気的に接続する複数の面内相互接続が示されている。さらに、ＰＶ太陽電池１９０２の背側に取り付けられた（例えば溶接された）複数のバイパスダイオード１９１２およびダイオードアセンブリも示されている。
【００６４】
図２０Ａでは、本明細書によるＰＶ太陽光パネルアセンブリ２０００の実装形態の一例の斜視図が示されている。ＰＶ太陽光パネルアセンブリ２０００は、複数の隣接ストリング２００２、２００４、２００６、２００８、２０１０、および２０１２と、複数の端部タブジャンパ２０１４、２０１６、２０１８、２０２０、および２０２２を含む。ＰＶ太陽光パネルアセンブリ２０００はまた、第１の端部タブ２０２６に取り付けられる（例えば、溶接される）第１のピックアップタブ２０２４と、最後の端部タブ２０３０に取り付けられる（例えば、溶接される）第２のピックアップタブ２０２８を含む。
【００６５】
図２０Ｂは本開示によるＰＶ太陽光パネルアセンブリ２０００の背側の斜視図である。この図では、複数の面内相互接続がＰＶ太陽電池および端部タブに取り付けられて示されている。ＰＶ太陽電池の背側は、面内相互接続、バイパスダイオード、およびバイパスダイオードアセンブリを示す。この完成したＰＶ太陽光パネルアセンブリ２０００は可撓性基板上に結合されるであろう。
【００６６】
図２１では、本開示による可撓性基板２１００の実装形態の一例が示されている。前述のように、可撓性基板２１００は、例えばＫＡＰＴＯＮ（登録商標）などのポリイミドにし得る。可撓性基板２１００は、ＰＶ太陽光パネルアセンブリ２０００を受け入れて結合されるように構成された上面２１０２を有する。図２２では、ＰＶ太陽光パネルアセンブリを可撓性基板２１００の上面２１０２上にレイアウトして結合してＲＳＰＭ  ２２００を製造する。
【００６７】
図２３は、本開示による（図１６に示す）ＰＶ太陽電池のＰＶ太陽光パネルアセンブリおよび可撓性基板２３０２から形成されたＲＳＰＭ２３００の別の実施形態の一例の斜視図である。この例では、Ｄ形状ＰＶ太陽電池の代わりに、六角形のＰＶ太陽電池２３０４（例えば、図１６に示すＰＶ太陽電池１６００など）が利用される。この例では、ＰＶ太陽電池２３０４の７つの隣接ストリング２３０６、２３０８、２３１０、２３１２、２３１６、２３１８、および２３２０が製造され、置かれ、そして可撓性基板２３０２の上面２３２２に結合される。この結果、可撓性基板２３０２の上面２３２２上に複数のデッドゾーン２３２４が生じる。図１９Ａ〜図２２について説明したのと同じ手順を利用してＲＳＰＭ  ２３００を製造する。ＲＳＰＭ  ２３００はまた、第１および第２のピックアップタブ２３２６および２３２８を含む。個々の六角形のＰＶ太陽電池２３０４のサイズに応じて、同じ種類の端部タブおよび端部タブジャンパの種類を前述のように利用し得る。しかしながら、個々の六角形のＰＶ太陽電池２３０４のサイズが大きすぎて、端部タブジャンパ用の平坦なストリップを適切に利用することができない場合、端部タブジャンパ２３３０、２３３２、２３３４、２３３６、２３３８、および２３４０は、円筒状配線が端部タブに取り付けられ、上面２３２２に平行な平面から外側に延伸しない面内湾曲を有するように設計されている、堅い円筒状配線を代わりに利用することができる。さらに、この例では、第１のピックアップタブ２３２６および第２のピックアップタブ２３２８もまた、それぞれ、第１の端部タブ２３４２および最後の端部タブ２３４４に物理的および電気的に接続された湾曲した堅い円筒状配線である。
【００６８】
図２４を参照すると、ＲＳＰＭ  ２２００を製造する方法２４００の実装形態の一例のフローチャートが本開示により示されている。方法２４００は、ステップ２４０２で、図１７および図１８に関して前述したように複数のＰＶ太陽電池を製造することによって開始する。次に、ステップ２４０４で、ＰＶ太陽電池を一緒に取り付けて、図１９Ａおよび図１９Ｂに示すように複数の隣接ストリングを形成する。前述のように、取り付け手段は、第１のＰＶ太陽電池の縁部および隣接するＰＶ太陽電池の背側に面内相互接続を溶接することを含み得る。次に、ステップ２４０６で、取り付けられたＰＶ太陽電池を端部タブに取り付け（例えば、溶接）、完全な隣接ストリングを形成する。ステップ２４０４とステップ２４０６の順序は任意選択で逆にし得るか、または同時に実行することさえし得ることを理解されたい。ステップ２４０８で、端部タブジャンパが端部タブに取り付けられ（例えば、溶接）、ステップ２４１０で、ピックアップタブが端部タブに取り付けられ（例えば、溶接で）、ＰＶ太陽光パネルアセンブリ２０００が作製される。取り付け手段は自動溶接機による溶接であり得る。次に、ステップ２４１２で可撓性基板２１００を準備し、ステップ２４１４でＰＶ太陽光パネルアセンブリ２０００を可撓性基板２１００に（例えば接着剤で）結合する。次に、ステップ２４１６で、露出した金属および可撓性基板を保護用の接着材料でオーバーコートし得る。次に、ステップ２４１８で、ＰＶ太陽光パネルアセンブリ２０００を硬化させ、方法２４００は終了する。
【００６９】
さらに、本開示は、以下の条項による例を含む。
条項１．転動可能に構成された転動可能な太陽光発電モジュールであり、当該モジュールは、可撓性基板で、当該可撓性基板は可撓性基板の長さと第１の平面を定義する上面を有するものと、可撓性基板の上面に取り付けられた複数の光起電力（「ＰＶ」）太陽電池の複数の隣接ストリングで、各ＰＶ太陽電池が凸多角形である周囲を有するもので、複数の隣接ストリングが可撓性基板の長さに沿って転動可能なように構成され、複数の隣接ストリングの各隣接ストリングが可撓性基板の長さに沿った配向を有し、一対の隣接ストリングの各２つの隣接ストリングが反対方向に対応する配向を有するものと、複数の隣接ストリングに物理的かつ電気的に接続された少なくとも一つの端部タブジャンパで、少なくとも一つの端部タブジャンパが複数の隣接ストリングを電気的に接続して直列回路を形成するものとを備えている。
【００７０】
条項２．少なくとも一つの端部タブジャンパが複数の端部タブジャンパで、各端部タブジャンパが少なくとも一つの応力緩和ループを含む、条項１のモジュール。
【００７１】
条項３．複数の隣接ストリングが第１の隣接ストリングおよび第２の隣接ストリングを含み、第１の隣接ストリングは複数のＰＶ太陽電池の第１のＰＶ太陽電池、第１の端部タブ、第１の端部タブを第１のＰＶ太陽電池に物理的かつ電気的に接続する第１の隣接ストリングの第１の複数の面内相互接続、複数のＰＶ太陽電池の第２のＰＶ太陽電池、第２の端部タブ、および第２のＰＶ太陽電池を第２の端部タブに物理的かつ電気的に接続する第１の隣接ストリングの第２の複数の面内相互接続を含み、第２の隣接ストリングは複数のＰＶ太陽電池の第３のＰＶ太陽電池、第３の端部タブ、第３の端部タブを第３のＰＶ太陽電池に物理的かつ電気的に接続する第２の隣接ストリングの第１の複数の面内相互接続、複数のＰＶ太陽電池の第４のＰＶ太陽電池、第４の端部タブ、および第４のＰＶ太陽電池を第４の端部タブに物理的かつ電気的に接続する第２の隣接ストリングの第２の複数の面内相互接続を含み、少なくとも一つの端部タブジャンパが第２の端部タブおよび第３の端部タブに物理的かつ電気的に接続している条項２のモジュール。
【００７２】
条項４．上面のより高い利用率およびそれに対応する可撓性基板上のデッドゾーンの低減をもたらすために、複数のストリングが入れ子になっている、条項３のモジュール。
【００７３】
条項５．第１のピックアップタブと第２のピックアップタブとをさらに含み、第１のピックアップタブが第１の端部タブに物理的および電気的に接続され、第２のピックアップタブが第４の端部タブに物理的かつ電気的に接続されている、条項３のモジュール。
【００７４】
条項６．第１の隣接ストリングの第１の複数の面内相互接続の各面内相互接続が第１の無限相互接続を含み、第１の隣接ストリングの第２の複数の面内相互接続の各面内相互接続は第２の無限相互接続を含み、第２の隣接ストリングの第１の複数の面内相互接続の各面内相互接続は第３の無限相互接続を含み、第２の隣接ストリングの第２の複数の面内相互接続の各面内相互接続は第４の無限相互接続を含み、第１の無限相互接続、第２の無限相互接続、第３の無限相互接続、および第４の無限相互接続が中心軸線に沿って撓むこと可能にする条項５のモジュール。
【００７５】
条項７．第１のＰＶ太陽電池、第２のＰＶ太陽電池、第３のＰＶ太陽電池、および第４のＰＶ太陽電池の両方の背面にバイパスダイオードをさらに含み、バイパスダイオードが第１の隣接ストリングの第２の複数の面内相互接続および第２の隣接ストリングの第２の複数の面内相互接続に物理的かつ電気的に接続されている条項６のモジュール。
【００７６】
条項８．各ＰＶ太陽電池が幅と長さを有し、長さに対する幅のアスペクト比が長さに沿った転動を可能にするために約２対１である、条項７のモジュール。
【００７７】
条項９．各ＰＶ太陽電池が８辺の凸多角形である周囲を有する、条項８のモジュール。
【００７８】
条項１０．各ＰＶ太陽電池が約７６．８８ｃｍ２に等しい表面領域を有する、条項９のモジュール。
【００７９】
条項１１．各ＰＶ太陽電池が約７８．８９ｃｍ２に等しい表面領域を有する、条項１０のモジュール。
【００８０】
条項１２．複数の隣接ストリングが少なくとも２つの隣接ストリングを含み、少なくとも２つの隣接ストリングの第１の隣接ストリングは第１の隣接ストリングの第１の端部タブ、第１の隣接ストリングの第２の端部タブ、第１の端部タブと第２の端部タブとの間の第１の複数のＰＶ太陽電池、第１の端部タブを複数のＰＶ太陽電池の第１のＰＶ太陽電池に物理的かつ電気的に接続する第１の隣接ストリングの第１の複数の面内相互接続、第２の端部タブを複数のＰＶ太陽電池の最後のＰＶ太陽電池に物理的かつ電気的に接続する第１の隣接ストリングの第２の複数の面内相互接続ならびにサブ複数のＰＶ太陽電池を互いに、そして第１のＰＶ太陽電池および最後のＰＶ太陽電池に物理的かつ電気的に接続する第１の隣接ストリングの第３の複数の面内相互接続を含み、少なくとも２つの隣接ストリングの第２の隣接ストリングは第２の隣接ストリングの第１の端部タブ、第２の隣接ストリングの第２の端部タブ、第１の端部タブと第２の端部タブとの間の第２の複数のＰＶ太陽電池、第１の端部タブを複数のＰＶ太陽電池の第１のＰＶ太陽電池に物理的かつ電気的に接続する第２の隣接ストリングの第１の複数の面内相互接続、第２の端部タブを複数のＰＶ太陽電池の最後のＰＶ太陽電池に物理的かつ電気的に接続する第２の隣接ストリングの第２の複数の面内相互接続ならびにサブ複数のＰＶ太陽電池を互いに、そして第１のＰＶ太陽電池および最後のＰＶ太陽電池に物理的かつ電気的に接続する第２の隣接ストリングの第３の複数の面内相互接続を含み、少なくとも一つの端部タブジャンパが第１の隣接ストリングの第２の端部タブと第２の隣接ストリングの第１の端部タブに物理的かつ電気的に接続されている条項２のモジュール。
【００８１】
条項１３．上面のより高い利用率およびそれに対応する可撓性基板上のデッドゾーンの低減をもたらすために、複数のストリングが入れ子になっている条項１２のモジュール。
【００８２】
条項１４．第１の隣接ストリングの第１のピックアップタブをさらに含み、第１のピックアップタブが第１の隣接ストリングの第１の端部タブに物理的および電気的に接続されている条項１２のモジュール。
【００８３】
条項１５．第１の隣接ストリングの第１の複数の面内相互接続の各面内相互接続が第１の無限相互接続を含み、第１の隣接ストリングの第２の複数の面内相互接続の各面内相互接続が第２の無限相互接続を含み、第１の隣接ストリングの第３の複数の面内相互接続の各面内相互接続が第３の無限相互接続を含み、第２の隣接ストリングの第１の複数の面内相互接続の各面内相互接続が第４の無限相互接続を含み、第２の隣接ストリングの第２の複数の面内相互接続の各面内相互接続が第５の無限相互接続を含み、第２の隣接ストリングの第３の複数の面内相互接続の各面内相互接続が第６の無限相互接続を含み、第１の無限相互接続、第２の無限相互接続、第３の無限相互接続、第４の無限相互接続、第５の無限相互接続、および第６の無限相互接続が中心軸線に沿って撓むことを可能にする条項１４のモジュール。
【００８４】
条項１６．第１の複数のＰＶ太陽電池および第２の複数のＰＶ太陽電池の各ＰＶ太陽電池の背面にバイパスダイオードをさらに含み、バイパスダイオードは第１の隣接ストリングの第１の複数の面内相互接続、第１の隣接ストリングの第２の複数の面内相互接続、第１の隣接ストリングの第３の複数の面内相互接続、第２の隣接ストリングの第１の複数の面内相互接続、第２の隣接ストリングの第２の複数の面内相互接続、または第２の隣接ストリングの第３の複数の面内相互接続に物理的および電気的に接続される条項１５のモジュール。
【００８５】
条項１７．各ＰＶ太陽電池が幅と長さを有し、長さに対する幅のアスペクト比が長さに沿った転動を可能にするために約２対１である、条項１６のモジュール。
【００８６】
条項１８．各ＰＶ太陽電池が８辺の凸多角形である周囲を有する、条項１７のモジュール。
【００８７】
条項１９．各ＰＶ太陽電池が約７６．８８ｃｍ２に等しい表面領域を有する、条項１８のモジュール。
【００８８】
条項２０．各ＰＶ太陽電池が約７８．８９ｃｍ２に等しい表面領域を有する、条項１８のモジュール。
【００８９】
条項２１．転動可能に構成された転動可能な太陽光発電モジュールを製造するための方法で、複数の隣接ストリングを形成するために複数の光起電力（「ＰＶ」）太陽電池を一緒に取り付けること、複数の端部タブを隣接ストリングのそれぞれに取り付けること、少なくとも一つの端部タブジャンパを複数の端部タブに取り付けること、ＰＶ太陽光パネルアセンブリを作製するために２つのピックアップタブを取り付けること、およびＰＶ太陽光パネルアセンブリを可撓性基板に取り付けることを含む方法。
【００９０】
本発明の範囲から逸脱することなく、本発明の様々な実施態様または詳細が変更され得ることが理解されよう。それは網羅的なものではなく、そして請求された発明を開示された厳密な形式に限定しない。さらに、前述の説明は例示のみを目的としており、限定を目的としていない。上記の説明に照らして修正および変形が可能であり、または本発明を実施することから獲得され得る。特許請求の範囲およびそれらの同等物が本発明の範囲を規定する。
【００９１】
実装形態のいくつかの代替例では、ブロックに示されている一つまたは複数の機能は、図に示されている順序とは異なる順序で発生し得る。例えば、場合によっては、関連する機能に応じて、連続して示されている２つのブロックが実質的に同時に実行されることがあるか、またはブロックが時には逆の順序で実行されることがある。また、フローチャートまたはブロック図に示されているブロックに加えて他のブロックを追加し得る。
【００９２】
実装形態の異なる例の説明は、例示および説明の目的で提示されており、網羅的であること、または開示された形式の例に限定されることを意図していない。多くの修正形態および変形形態が当業者には明らかであろう。さらに、実装の異なる例は他の望ましい例と比較して異なる形態を提供し得る。選択された一つまたは複数の例は、例の原理、実際の用途を最もよく説明し、当業者が考えられる特定の用途に適合するように様々な変更を伴う様々な例についての開示を理解することを可能にするために選択および説明されている。
【符号の説明】
【００９３】
１００  転動可能な太陽光発電モジュール
１０２  可撓性基板
１０４  第１の隣接ストリング
１０６  第２の隣接ストリング
１０８  第３からＮ−１の隣接ストリング
１１０  Ｎ番目の隣接ストリング
１１２  第１の端部タブジャンパ
１１４  第２の端部タブジャンパ
１１６  Ｎ番目の端部タブジャンパ
１１８  上面
１２０  配向
１２２  配向
１２４  配向
１２６  配向
１２８  長さ
１３０  第１のピックアップタブ
１３２  第２のピックアップタブ
２００  転動可能な太陽光発電モジュール
２０２  第１の光起電力（「ＰＶ」）太陽電池
２０４  第２のＰＶ太陽電池
２０６  第３のＰＶ太陽電池
２０８  第４のＰＶ太陽電池
２１０  可撓性基板
２１２  上面
２１４  長さ
２１６  第１の隣接ストリング
２１８  第２の隣接ストリング
２２０  第１の配向
２２２  第２の配向
２２４  第１の端部タブ
２２６  第１の複数の面内相互接続
２２８  第２の端部タブ
２３０  第２の複数の面内相互接続
２３２  第３の端部タブ
２３４  第１の複数の面内相互接続
２３６  第４の端部タブ
２３８  第２の複数の面内相互接続
２４０  端部タブジャンパ
２４２  第１のピックアップタブ
２４４  第２のピックアップタブ
２４６  小さな表面領域ギャップ
２４８  小さな表面領域ギャップ
２５０  小さな表面領域ギャップ
２５２  小さな表面領域ギャップ
２５４  小さな表面領域ギャップ
２５６  小さな表面領域ギャップ
２５８  第１の側面
２６０  第１の側面
２６２  第１の側面
２６４  第１の側面
２６６  フィルム絶縁体
２６８  フィルム絶縁体
３００  転動可能な太陽光発電モジュール
３０１  第１のＰＶ太陽電池
３０２  第２のＰＶ太陽電池
３０３  ＰＶ太陽電池
３０４  ＰＶ太陽電池
３０５  ＰＶ太陽電池
３０６  ＰＶ太陽電池
３０７  第７のＰＶ太陽電池
３０８  最後のＰＶ太陽電池
３０９  第１のＰＶ太陽電池
３１０  第２のＰＶ太陽電池
３１１  ＰＶ太陽電池
３１２  ＰＶ太陽電池
３１３  ＰＶ太陽電池
３１４  ＰＶ太陽電池
３１５  第７のＰＶ太陽電池
３１６  最後のＰＶ太陽電池
３１７  第１のＰＶ太陽電池
３１８  第２のＰＶ太陽電池
３１９  ＰＶ太陽電池
３２０  ＰＶ太陽電池
３２１  ＰＶ太陽電池
３２２  ＰＶ太陽電池
３２３  第７のＰＶ太陽電池
３２４  第８のＰＶ太陽電池
３２５  ＰＶ太陽電池
３２６  ＰＶ太陽電池
３２７  ＰＶ太陽電池
３２８  ＰＶ太陽電池
３２９  ＰＶ太陽電池
３３０  ＰＶ太陽電池
３３１  ＰＶ太陽電池
３３２  ＰＶ太陽電池
３３３  ＰＶ太陽電池
３３４  ＰＶ太陽電池
３３５  ＰＶ太陽電池
３３６  ＰＶ太陽電池
３３７  ＰＶ太陽電池
３３８  ＰＶ太陽電池
３３９  ＰＶ太陽電池
３４０  ＰＶ太陽電池
３４１  ＰＶ太陽電池
３４２  ＰＶ太陽電池
３４３  ＰＶ太陽電池
３４４  ＰＶ太陽電池
３４５  ＰＶ太陽電池
３４６  ＰＶ太陽電池
３４７  ＰＶ太陽電池
３４８  ＰＶ太陽電池
３５０  第１の隣接ストリング
３５２  第２の隣接ストリング
３５４  第３の隣接ストリング
３５６  第４の隣接ストリング
３５８  第５の隣接ストリング
３６０  第６の隣接ストリング
３６２  第１の端部タブ
３６４  第２の端部タブ
３６６  第１の端部タブ
３６８  第２の端部タブ
３７０  第１の端部タブ
３７２  第２の端部タブ
３７４  第１の端部タブ
３７６  第２の端部タブ
３７８  第１の端部タブ
３８０  第２の端部タブ
３８２  第１の端部タブ
３８４  第２の端部タブ
３８６  第１の端部タブジャンパ
３８７  第２の端部タブジャンパ
３８８  第３の端部タブジャンパ
３８９  第４の端部タブジャンパ
３９０  第５の端部タブジャンパ
３９２  第１のピックアップタブ
３９３  第２のピックアップタブ
３９４  上面
３９５  可撓性基板
３９６  長さ
３９７  幅
４００  溶接接点
４０２  溶接接点
４０４  応力緩和ループ
４０６  第１の面内相互接続
４０８  第２の面内相互接続
４１０  第３の面内相互接続
４１２  第１の面内相互接続
４１４  第２の面内相互接続
４１６  第３の面内相互接続
４１８  第４の面内相互接続
４２０  ＰＶ太陽電池の前面
４２２  縁部
５００  端部タブジャンパ
５０２  薄型応力緩和ループ
５０４  第１のオーバーラップ領域
５０６  第２のオーバーラップ領域
６００  面内相互接続
６０２  第１のタブ
６０４  第２のタブ
６０６  無限相互接続
６０８  仮想中心軸線
６１０  長さ
６１２  長さ
６１４  長さ
６１６  長さ
６１８  第３のタブ
６２０  第４のタブ
６２２  第５のタブ
６２４  第６のタブ
６２６  第７のタブ
７００  面内相互接続
７０２  面内相互接続
７０４  面内相互接続
７０６  端部タブ
７０８  溶接点
７１０  溶接点
７１２  溶接点
７１４  第１のタブ
７１６  第２のタブ
７１８  第３のタブ
７２０  第４のタブ、
７２２  第５のタブ
７２４  第６のタブ
７２６  第１の無限相互接続
７２８  第２の無限相互接続
７３０  第３の無限相互接続
７３２  仮想中心軸線
８００  端部タブ
９００  隣接ストリング
９０２  第１のＰＶ太陽電池
９０４  第２のＰＶ太陽電池
９０６  第１の端部タブ
９０８  面内相互接続
９１０  面内相互接続
９１２  面内相互接続
９１４  ＰＶ太陽電池
９１６  面内相互接続
９１８  面内相互接続
９２０  面内相互接続
９２２  面内相互接続
９２４  バイパスダイオード
９２６  背面
９２７  縁部
９２８  正面
９３０  第２の端部タブ
９３２  面内相互接続
９３４  面内相互接続
９３６  面内相互接続
９３８  面内相互接続
９４０  面内相互接続
９４２  面内相互接続
９４４  面内相互接続
９４６  面内相互接続
９４８  バイパスダイオード
９５０  背面
９５２  正面
９５４  背面
９５６  縁部
９５７  バイパスダイオード
９５８  外側縁部
９６０  縁部
９６２  外側縁部
９６４  第１の仮想中心軸線
９６６  第２の仮想中心軸線
９６８  第３の仮想中心軸線
９７０  第４の仮想中心軸線
１０００  ピックアップタブ
１００２  つま先
１１００  ＰＶ太陽電池
１１０２  幅
１１０４  長さ
１１０６  表面領域
１２００  ＰＶ太陽電池
１２０２  幅
１２０４  長さ
１２０６  表面領域
１３００  ＰＶ太陽電池
１３０２  幅
１３０４  長さ
１３０６  表面領域
１４００  ＰＶ太陽電池
１４０２  幅
１４０４  長さ
１４０６  表面領域
１５００  ＰＶ太陽電池
１５０２  幅
１５０４  長さ
１５０６  表面領域
１６００  ＰＶ太陽電池
１６０２  幅
１６０４  長さ
１６０６  表面領域
１６０８  切り出し領域
１６１０  切り出し領域
１６１２  切り出し領域
１６１４  切り出し領域
１７００  面内相互接続
１７０２  面内相互接続
１７０４  面内相互接続
１７０６  縁部
１７０８  ＰＶ太陽電池基板
１７１０  上面
１７１２  カバーガラス
１７１４  背側バイパスダイオード
１７１６  バイパスダイオードアセンブリ
１７１８  面内相互接続
１７２０  背側
１７２２  ＰＶ太陽電池
１８００  方法
１９００  隣接ストリング
１９０２  複数のＰＶ太陽電池
１９０４  第１のＰＶ太陽電池
１９０６  第８のＰＶ太陽電池
１９０８  第１の端部タブ
１９１０  第２の端部タブ
１９１２  複数のバイパスダイオード
２０００  ＰＶ太陽光パネルアセンブリ
２００２  隣接ストリング
２００４  隣接ストリング
２００６  隣接ストリング
２００８  隣接ストリング
２０１０  隣接ストリング
２０１２  隣接ストリング
２０１４  端部タブジャンパ
２０１６  端部タブジャンパ
２０１８  端部タブジャンパ
２０２０  端部タブジャンパ
２０２２  端部タブジャンパ
２０２４  第１のピックアップタブ
２０２６  第１の端部タブ
２０２８  第２のピックアップタブ
２０３０  最後の端部タブ
２１００  可撓性基板
２１０２  上面
２２００  転動可能な太陽光発電モジュール
２３００  転動可能な太陽光発電モジュール
２３０２  可撓性基板
２３０４  六角形のＰＶ太陽電池
２３０６  隣接ストリング
２３０８  隣接ストリング
２３１０  隣接ストリング
２３１２  隣接ストリング
２３１６  隣接ストリング
２３１８  隣接ストリング
２３２０  隣接ストリング
２３２２  上面
２３２４  デッドゾーン
２３２６  第１のピックアップタブ
２３２８  第２のピックアップタブ
２３３０  端部タブジャンパ
２３３２  端部タブジャンパ
２３３４  端部タブジャンパ
２３３６  端部タブジャンパ
２３３８  端部タブジャンパ
２３４０  端部タブジャンパ
２３４２  第１の端部タブ
２３４４  最後の端部タブ
２４００  方法
【図１】
2019161220.tif 000003
【図２】
2019161220.tif 000004
【図３】
2019161220.tif 000005
【図４】
2019161220.tif 000006
【図５Ａ】
2019161220.tif 000007
【図５Ｂ】
2019161220.tif 000008
【図５Ｃ】
2019161220.tif 000009
【図６Ａ】
2019161220.tif 000010
【図６Ｂ】
2019161220.tif 000011
【図６Ｃ】
2019161220.tif 000012
【図６Ｄ】
2019161220.tif 000013
【図７】
2019161220.tif 000014
【図８】
2019161220.tif 000015
【図９Ａ】
2019161220.tif 000016
【図９Ｂ】
2019161220.tif 000017
【図１０】
2019161220.tif 000018
【図１１】
2019161220.tif 000019
【図１２】
2019161220.tif 000020
【図１３】
2019161220.tif 000021
【図１４】
2019161220.tif 000022
【図１５】
2019161220.tif 000023
【図１６】
2019161220.tif 000024
【図１７】
2019161220.tif 000025
【図１８】
2019161220.tif 000026
【図１９Ａ】
2019161220.tif 000027
【図１９Ｂ】
2019161220.tif 000028
【図２０Ａ】
2019161220.tif 000029
【図２０Ｂ】
2019161220.tif 000030
【図２１】
2019161220.tif 000031
【図２２】
2019161220.tif 000032
【図２３】
2019161220.tif 000033
【図２４】
2019161220.tif 000034
【外国語明細書】
2019161220000001.pdf